(57)【要約】【課題】視聴中の番組の視聴不可時に、番組の視聴中断時間を短くできるデジタル放送受信装置を提供する。【解決手段】視聴中のデジタル放送番組の放送局からの受信信号から得られる各種情報に基づき、その放送局の受信が現状で不可状態になったことを検出して受信不可通知を出力する受信不可検出部６と、視聴中の番組のチャンネル情報とその放送局と同系列である系列放送局のチャンネル情報を系列関係と関連付けて記憶させる系列放送局記憶部８と、受信不可検出部６から受信不可通知を受信した場合に、系列放送局記憶部８から系列放送局のチャンネル情報を検索して「現状受信可状態」の場合にその系列放送局の番組を視聴し、系列放送局が記憶されていない場合には、系列放送局をチャンネルサーチするように指示を出力する選局制御部７を備える。【選択図】図１
2008035538.tif 000002
【特許請求の範囲】
【請求項１】
デジタル放送番組の受信信号を受信して選局、復調、誤り訂正し、選局された番組の受信信号のＴＳ（Ｔｒａｎｓｐｏｒｔ  Ｓｔｒｅａｍ：トランスポートストリーム）を出力するチューナ部と、
前記ＴＳから映像／音声ストリームを分離抽出して出力し、前記ＴＳからＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ:サービス情報、番組配列情報）を抽出して該ＰＳＩ／ＳＩを保存するデマルチプレクス部と、
前記映像／音声ストリームから映像の復号及び音声の復号を行い復号された映像信号及び音声信号を出力する映像／音声デコード部と、
視聴中のチャンネルの受信信号から得られる各種情報に基づき、該視聴中のチャンネルの受信信号を受信することが現状で不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記チューナ部が、多重化された受信信号中の、ノイズ及びマルチパスに対する耐性が比較的弱い変調方式の階層である弱階層で伝送された信号と、多重化された受信信号中の、ノイズ及びマルチパスに対する耐性が比較的強い変調方式の階層である強階層で伝送された信号の双方を受信しており、
前記選局制御部は、
前記チューナ部により、いずれか一つのチャンネルが選局された場合に、最初は前記デマルチプレクス部及び前記映像／音声デコード部に、前記一つのチャンネルの、前記弱階層で伝送された番組の受信信号を復号させ、
前記受信不可検出部から受信不可通知を受信した場合には、
前記デマルチプレクス部及び前記映像／音声デコード部に、前記一つのチャンネルの、前記強階層に切替える切替指示を出力して、前記強階層で伝送された番組の受信信号が「現状受信可状態」か否かを判断し、
前記強階層で伝送された番組の受信信号が「現状受信不可状態」の場合に、前記記憶部に、視聴中のチャンネルに関連付けて記憶されている別のチャンネルのチャンネル情報を検索する
ことを特徴とするデジタル放送受信装置。
【請求項２】
前記弱階層から前記強階層への切替が、前記記憶部に記憶されたチャンネル情報の検索により選局されたチャンネルについて行われることを特徴とする請求項１に記載のデジタル放送受信装置。
【請求項３】
前記弱階層から前記強階層への切替が、前記チューナ部によるチャンネルサーチにより検出されて選局されたチャンネルについて行われることを特徴とする請求項１に記載のデジタル放送受信装置。
【請求項４】
前記選局制御部は、前記強階層で伝送された番組の受信信号を復号しているときに、受信不可検出部から前記弱階層で伝送された番組の受信信号が「現状受信可状態」になったことを受信した場合には、
前記デマルチプレクス部及び前記映像／音声デコード部に対して、復号すべき番組の階層を前記弱階層に切替える切替指示を出力して、前記弱階層で伝送された番組の受信信号の番組を視聴させる
ことを特徴とする請求項１乃至３の何れかに記載のデジタル放送受信装置。
【請求項５】
前記選局制御部は、前記記憶部に記憶されているチャンネルのチャンネル情報を検索する際、現在地域を推定し、現在地域に隣接する地域の放送局からの放送で使用されているチャンネルを選択することを特徴とする請求項１乃至４の何れかに記載のデジタル放送受信装置。
【請求項６】
チューナ部により、デジタル放送番組の受信信号を受信して選局、復調、誤り訂正し、選局された番組の受信信号のＴＳ（Ｔｒａｎｓｐｏｒｔ  Ｓｔｒｅａｍ：トランスポートストリーム）を出力し、
デマルチプレクス部により、前記ＴＳから映像／音声ストリームを分離抽出して出力し、前記ＴＳからＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ:サービス情報、番組配列情報）を抽出して該ＰＳＩ／ＳＩを保存し、
映像／音声でコード部により、前記映像／音声ストリームから映像の復号及び音声の復号を行い復号された映像信号及び音声信号を出力し、
視聴中のチャンネルの受信信号から得られる各種情報に基づき、該視聴中のチャンネルの受信信号を受信することが現状で不可状態になったことを検出して受信不可通知を出力する受信不可検出ステップと、
記憶部により、視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、検出された前記別のチャンネルのチャンネル情報を前記視聴中のチャンネルのチャンネル情報と関連付けて記憶させる記憶ステップと、
前記受信不可検出ステップにより、受信不可が検出された場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、
当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、
前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御ステップを備え、
前記チューナ部により、多重化された受信信号中の、ノイズ及びマルチパスに対する耐性が比較的弱い変調方式の階層である弱階層で伝送された信号と、多重化された受信信号中の、ノイズ及びマルチパスに対する耐性が比較的強い変調方式の階層である強階層で伝送された信号の双方を受信しており、
前記選局制御ステップは、
前記チューナ部により、いずれか一つのチャンネルを選局した場合に、最初は前記デマルチプレクス部及び前記映像／音声デコード部に、前記一つのチャンネルの、前記弱階層で伝送された番組の受信信号を復号させ、
前記受信不可検出ステップにより受信不可が検出された場合には、
前記デマルチプレクス部及び前記映像／音声デコード部に、前記一つのチャンネルの、前記強階層に切替える切替指示を出力して、前記強階層で伝送された番組の受信信号が「現状受信可状態」か否かを判断し、
前記強階層で伝送された番組の受信信号が「現状受信不可状態」の場合に、前記記憶部に、視聴中のチャンネルに関連付けて記憶されている別のチャンネルのチャンネル情報を検索する
ことを特徴とするデジタル放送受信装置の受信方法。
【請求項７】
前記弱階層から前記強階層への切替が、前記記憶ステップで記憶されたチャンネル情報の検索により選局されたチャンネルについて行われることを特徴とする請求項６に記載のデジタル放送受信装置の受信方法。
【請求項８】
前記弱階層から前記強階層への切替が、前記チューナ部によるチャンネルサーチにより検出されて選局されたチャンネルについて行われることを特徴とする請求項６に記載のデジタル放送受信装置の受信方法。
【請求項９】
前記強階層で伝送された番組の受信信号を復号しているときに、前記弱階層で伝送された番組の受信信号が「現状受信可状態」になった場合には、
前記デマルチプレクス部及び前記映像／音声デコード部に対して、復号すべき番組の階層を前記弱階層に切替えさせることを特徴とする請求項６乃至８の何れかに記載のデジタル放送受信装置の受信方法。
【請求項１０】
前記選局制御ステップは、前記記憶部に記憶されているチャンネルのチャンネル情報を検索する際、現在地域を推定し、現在地域に隣接する地域の放送局からの放送で使用されているチャンネルを選択することを特徴とする請求項６乃至９の何れかに記載のデジタル放送受信装置の受信方法。
【請求項１１】
デジタル放送番組の受信信号を受信して選局、復調、誤り訂正するチューナ部と、
視聴中のチャンネルの受信信号から得られる各種情報に基づき、該視聴中のチャンネルの受信信号を受信することが不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記選局制御部は、
視聴中のチャンネルと同じ番組を放送している別のチャンネル又は視聴中のチャンネルと同じ番組を放送している可能性が高い別のチャンネルが検出され、該検出された別のチャンネルのチャンネル情報を視聴中のチャンネルに関連づけて前記記憶部に記憶させる際に、当該検出されたチャンネルの優先順位を最も早い順位とするとともに、それ以前から前記記憶部に、視聴中のチャンネルに関連付けて記憶されていた他のチャンネルの優先順位を、それまでの優先順位よりも一つずつ下げて前記記憶部に記憶させ、
前記記憶部に、視聴中のチャンネルに関連付けて複数の別のチャンネルが記憶されている場合に、前記受信不可検出部から受信不可通知を受信したとき、前記複数の別のチャンネルを、前記優先順位が最も早いチャンネルから順に選択し、選択されたチャンネルの受信信号が「現状受信可状態」か否を判断し、「現状受信可状態」の場合に当該チャンネルの番組を視聴させ、
前記記憶部に視聴中のチャンネルに関連付けて記憶されていた前記別のチャンネルのすべてが「現状受信不可状態」の場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する
ことを特徴とするデジタル放送受信装置。
【請求項１２】
前記チューナ部が、デジタル放送番組の受信信号を受信して選局、復調、誤り訂正し、選局された番組の受信信号のＴＳを出力し、
前記選局制御部は、
前記記憶部に、視聴中のチャネルに関連付けて別のチャンネルのチャンネル情報を記憶させる際に、前記チューナ部で視聴中の番組を伝送するＴＳと同一のＴＳが検出された場合に、その検出されたＴＳがＭＦＮ（マルチ周波数ネットワーク）の関係であることを検出し、その検出されたＭＦＮ関係にあるＴＳのチャンネル情報と前記視聴中の番組を伝送するＴＳのチャンネル情報とＭＦＮ関係にあるものとして関連付けて前記記憶部に記憶させ、
前記受信不可検出部から受信不可通知を受信した場合に、前記記憶部から前記ＭＦＮ関係にあるＴＳを検索し、
視聴中の番組のＴＳとＭＦＮ関係にあるものとして関連付けて記憶されている別のＴＳのチャンネル情報に基づく受信信号が「現状受信可状態」か否かを判断し、「現状受信可状態」の場合に前記ＭＦＮ関係にあるＴＳが伝送する番組を視聴させ、
前記ＭＦＮ関係にあるＴＳが記憶されていない場合には、前記チューナ部に対し、ＭＦＮ関係にある別のチャンネルをチャンネルサーチするように指示を出力し、
前記記憶部に記憶されていた全ての前記ＭＦＮ関係にあるＴＳが伝送する番組が「現状受信不可状態」の場合には、前記チューナ部に対し、ＭＦＮ関係にあるさらに別のチャンネルをチャンネルサーチするように指示を出力する
ことを特徴とする請求項１１に記載のデジタル放送受信装置。
【請求項１３】
前記選局制御部は、
前記チューナ部によるチャンネルサーチにより検出されたＭＦＮ関係にあるＴＳの優先順位を最も早い順位とするとともに、ＭＦＮ関係にある他のＴＳの優先順位をそれまでの優先順位よりも１つずつ下げて前記記憶部に記憶させ、
視聴中の番組のＴＳとＭＦＮ関係にあるものとして複数のＴＳが記憶されている場合に、前記受信不可検出部から受信不可通知を受信したとき、前記ＭＦＮ関係にあるＴＳを、前記優先順位が早い方から順に選択し、選択されたＭＦＮ関係にあるＴＳのチャンネル情報に基づく受信信号が「現状受信可状態」か否かを判断し、「現状受信可状態」の場合に前記ＭＦＮ関係にあるＴＳが伝送する番組を視聴するように指示を出力する
ことを特徴とする請求項１２に記載のデジタル放送受信装置。
【請求項１４】
前記選局制御部は、
前記記憶部に、視聴中のチャネルに関連付けて別のチャンネルのチャンネル情報を記憶させる際に、前記チューナ部で視聴中の放送局と同系列である系列放送局のチャンネル情報を、前記視聴中の放送局に関連付けて前記記憶部に記憶させ、
前記受信不可検出部から受信不可通知を受信した場合に、前記記憶部から前記系列放送局のチャンネル情報を検索し、
視聴中の放送局と関連付けて記憶されている系列放送局からの受信信号が「現状受信可状態」か否かを判断し、「現状受信可状態」の場合に前記系列放送局からの番組を視聴させ、
前記系列放送局が記憶されていない場合には、前記チューナ部に対し、系列放送局をチャンネルサーチするように指示を出力し、
前記記憶部に記憶されていた全ての前記系列放送局からの番組が「現状受信不可状態」の場合には、前記チューナ部に対し、さらに他の系列放送局をチャンネルサーチするように指示を出力する
ことを特徴とする請求項１１に記載のデジタル放送受信装置。
【請求項１５】
前記選局制御部は、
前記チューナ部によるチャンネルサーチにより検出された系列放送局の優先順位を最も早い順位とするとともに、他の系列放送局の優先順位をそれまでの優先順位よりも１つずつ下げて前記記憶部に記憶させ、
視聴中の放送局と同系列の関係にあるものとして複数の系列放送局が記憶されている場合に、前記受信不可検出部から受信不可通知を受信したとき、前記系列放送局を、前記優先順位が早い方から順に選択し、選択された系列放送局からの受信信号が「現状受信可状態」か否かを判断し、「現状受信可状態」の場合に前記系列放送局からの番組を視聴するように指示を出力する
ことを特徴とする請求項１４に記載のデジタル放送受信装置。
【請求項１６】
デジタル放送番組の受信信号を受信して選局、復調、誤り訂正するチューナ部と、
視聴中のチャンネルの受信信号から得られる各種情報に基づき、該視聴中のチャンネルの受信信号を受信することが不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記選局制御部は、
視聴中のチャンネルと同じ番組を放送している別のチャンネル又は視聴中のチャンネルと同じ番組を放送している可能性が高い別のチャンネルを検出し、検出されたチャンネルのチャンネル情報を視聴中のチャンネルに関連づけて前記記憶部に記憶させるとともに、各チャンネルの検出回数も前記記憶部に記憶させ、
前記記憶部に、視聴中のチャンネルに関連付けて複数の別のチャンネルが記憶されている場合に、前記受信不可検出部から受信不可通知を受信したとき、前記複数の別のチャンネルを、前記検出回数が多いチャンネルから順に選択し、選択されたチャンネルの受信信号が「現状受信可状態」か否かを判断し、「現状受信可状態」の場合に当該チャンネルの番組を視聴させ、
前記記憶部に視聴中のチャンネルに関連付けて記憶されていた前記別のチャンネルのすべてが「現状受信不可状態」の場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する
ことを特徴とするデジタル放送受信装置。
【請求項１７】
前記チューナ部が、デジタル放送番組の受信信号を受信して選局、復調、誤り訂正し、選局された番組の受信信号のＴＳを出力し、
前記選局制御部は、
前記記憶部に、視聴中のチャネルに関連付けて別のチャンネルのチャンネル情報を記憶させる際に、前記チューナ部で視聴中の番組を伝送するＴＳと同一のＴＳが検出された場合に、その検出されたＴＳがＭＦＮ（マルチ周波数ネットワーク）の関係であることを検出し、その検出されたＭＦＮ関係にあるＴＳのチャンネル情報と前記視聴中の番組を伝送するＴＳのチャンネル情報とＭＦＮ関係にあるものとして関連付けて前記記憶部に記憶させ、
前記受信不可検出部から受信不可通知を受信した場合に、前記記憶部から前記ＭＦＮ関係にあるＴＳを検索し、
視聴中の番組のＴＳとＭＦＮ関係にあるものとして関連付けて記憶されている別のＴＳのチャンネル情報に基づく受信信号が「現状受信可状態」か否かを判断し、「現状受信可状態」の場合に前記ＭＦＮ関係にあるＴＳが伝送する番組を視聴させ、
前記ＭＦＮ関係にあるＴＳが記憶されていない場合には、前記チューナ部に対し、ＭＦＮ関係にある別のチャンネルをチャンネルサーチするように指示を出力し、
前記記憶部に記憶されていた全ての前記ＭＦＮ関係にあるＴＳが伝送する番組が「現状受信不可状態」の場合には、前記チューナ部に対し、ＭＦＮ関係にあるさらに別のチャンネルをチャンネルサーチするように指示を出力する
ことを特徴とする請求項１６に記載のデジタル放送受信装置。
【請求項１８】
前記選局制御部は、
前記チューナ部によるチャンネルサーチにより検出されたＴＳの検出回数を検出し、前記ＭＦＮ関係であることを示す情報と共に該検出回数も前記記憶部に記憶させ、
視聴中の番組のＴＳとＭＦＮ関係にあるものとして複数のＴＳが記憶されている場合に、前記受信不可検出部から受信不可通知を受信したとき、前記ＭＦＮ関係にあるＴＳを、検出回数が多いものから順に選択し、選択された該ＴＳのチャンネル情報に基づく受信信号が「現状受信可状態」か否かを判断し、「現状受信可状態」の場合に前記ＭＦＮ関係にあるＴＳが伝送する番組を視聴するように指示を出力する
ことを特徴とする請求項１７に記載のデジタル放送受信装置。
【請求項１９】
前記選局制御部は、
前記記憶部に、視聴中のチャネルに関連付けて別のチャンネルのチャンネル情報を記憶させる際に、前記チューナ部で視聴中の放送局と同系列である系列放送局のチャンネル情報を、前記視聴中の放送局に関連付けて前記記憶部に記憶させ、
前記受信不可検出部から受信不可通知を受信した場合に、前記記憶部から前記系列放送局のチャンネル情報を検索し、
視聴中の放送局と関連付けて記憶されている系列放送局からの受信信号が「現状受信可状態」か否かを判断し、「現状受信可状態」の場合に前記系列放送局からの番組を視聴させ、
前記系列放送局が記憶されていない場合には、前記チューナ部に対し、系列放送局をチャンネルサーチするように指示を出力し、
前記記憶部に記憶されていた全ての前記系列放送局からの番組が「現状受信不可状態」の場合には、前記チューナ部に対し、さらに他の系列放送局をチャンネルサーチするように指示を出力する
ことを特徴とする請求項１６に記載のデジタル放送受信装置。
【請求項２０】
前記選局制御部は、
前記チューナ部によるチャンネルサーチにより検出された系列放送局の検出回数を検出し、前記同系列であることを示す情報と共に該検出回数も前記記憶部に記憶させ、
視聴中の放送局と同系列の関係にあるものとして複数の系列放送局が記憶されている場合に、前記受信不可検出部から受信不可通知を受信したとき、前記系列放送局を、前記検出回数が多いものから順に選択し、選択された系列放送局からの受信信号が「現状受信可状態」か否かを判断し、「現状受信可状態」の場合に前記系列放送局からの番組を視聴するように指示を出力する
ことを特徴とする請求項１９に記載のデジタル放送受信装置。
【請求項２１】
前記チューナ部が、デジタル放送番組の受信信号を受信して選局、復調、誤り訂正し、選局された番組の受信信号のＴＳを出力すると共に、前記処理が不可状態の場合には該番組の受信信号の受信レベル情報、受信Ｃ／Ｎ比情報、ＰＬＬロック情報、フレームロック情報、誤り率の各種情報の少なくとも一つを出力し、
前記ＴＳから映像／音声ストリームを分離抽出して出力し、前記ＴＳからＰＳＩ／ＳＩを抽出して該ＰＳＩ／ＳＩを保存すると共に、前記処理の何れかが不可状態の場合にはＰＡＴ断絶情報、ＰＭＴ断絶情報、ＴＳ同期はずれ情報、ＴＳパケットの損失情報の各種情報の少なくとも一つを出力するデマルチプレクス部と、
前記映像／音声ストリームから映像の復号及び音声の復号を行い復号された映像信号及び音声信号を出力すると共に、前記処理の何れかが不可状態の場合にはデコードエラー検出情報、デコードエラー率情報の各種情報の少なくとも一つを出力する映像／音声デコード部
をさらに備え、
前記受信不可検出部が、
前記各種情報の少なくとも一つに基づいて前記番組の受信信号が「現状受信不可状態」であることを検出した場合、
前記選局制御部は、
前記記憶部内の検索又は前記チューナ部によるチャンネルサーチにより同じ番組の放送に用いられているＴＳが検出できた場合、検出できたＴＳのチャンネル情報を前記記憶部に記憶させておくとともに、
「現状受信不可状態」が発生する直前の所定期間の上記各種情報の変化パターンを受信異常履歴情報として、前記検出されたＴＳのチャンネル局情報に関連づけて前記記憶部に記憶させておき、
その後、前記受信不可検出部が「現状受信不可状態」を検出した時には、前記記憶部に記憶された受信異常履歴情報から、その際の受信異常履歴情報の変化パターンと同一又は類似する変化パターンを表す受信異常履歴情報を検索し、検索された受信異常履歴情報をチャンネルの選局に用いる
ことを特徴とする請求項１１乃至２０の何れかに記載のデジタル放送受信装置。
【請求項２２】
前記選局制御部は、前記受信不可検出部の「現状受信不可状態」の検出時に、その直前の所定期間の受信異常履歴情報が、現在位置がどのチャンネルも選局できない位置であることを示す場合、同じ番組を放送しているチャンネル又は同じ番組を放送している可能性の高いチャンネルのサーチを中止する
ことを特徴とする請求項２１に記載のデジタル放送受信装置。
【請求項２３】
前記選局制御部は、前記記憶部に記憶されているチャンネルのチャンネル情報を検索する際、現在地域を推定し、現在地域に隣接する地域の放送局からの放送で使用されているチャンネルを選択することを特徴とする請求項１１乃至２２の何れかに記載のデジタル放送受信装置。
【発明の詳細な説明】
【技術分野】
【０００１】
本発明は、移動体に搭載されてデジタル放送を受信して復号するデジタル放送受信装置に関し、特に受信中の放送局の番組の受信状態が悪化した時に系列放送局又は同じ番組を放送しているチャンネル乃至同じ番組を放送している可能性の高いチャンネルをチャンネルサーチするデジタル放送受信装置に関する。
【背景技術】
【０００２】
デジタル放送局では、通常は番組の送出信号中に、そのデジタル放送局の系列放送局において現在放送中の番組に関する情報は送出していない。又は、仮にデジタル放送局側から番組の送出信号中に系列放送局の番組に関するなんらかの情報を送出したとしても、移動体搭載の受信装置側でその系列放送局の番組情報を利用することはなかった。従って、移動体搭載の受信装置側で視聴中の番組の受信が受信レベル低下等の理由から不可能になった場合には、視聴者は、マニュアル操作でその時点の「現在位置が受信サービス領域内である場合に受信可能となる放送局」を一局づつチャンネルサーチし、視聴者自身で番組内容が同一であるか、つまりサーチされた放送局が「系列放送局」であるかを判断する必要があった。より詳しくは、チャンネルサーチで検出された放送局が視聴中の番組と同じでない場合には再度チャンネルサーチして次の放送局を検出する処理を繰り返し、視聴中の番組と同じである場合にはその番組が視聴されるという煩雑な処理を実施する必要があった。
【０００３】
上記した煩雑な処理を改善するために、例えば、デジタル放送局側からは番組情報中に系列放送局情報を含めて送出し、移動体搭載の受信装置側では、例えば受信レベルの低下で番組視聴が不可と判断した時に、「現状受信可状態」である別の放送局を自動的にチャンネルサーチし、サーチされた放送局の番組情報の中からその放送局の系列放送局情報を抽出し、その系列放送局情報に受信レベルの低下前に視聴していた番組の放送局があれば、サーチされた放送局は系列放送局と判断し、その放送局を選局する方法が知られている（例えば、特許文献１；請求項１及び図１参照）。
【０００４】
又、受信レベルの低下で番組視聴が不可と判断した時に、自動的にチャンネルサーチし、サーチされた放送局の番組情報の中からその放送局が放送中の番組タイトルを抽出し、その番組タイトルと受信レベルの低下前に視聴していた番組の番組タイトルを比較して同じ（又は、番組ジャンル、番組識別番号を比較して同じ）であれば、サーチされた放送局は系列放送局と判断し、その放送局を選局する方法が知られている（例えば、特許文献１；請求項２−５及び図１参照）。
【特許文献１】特開２００４−１４０６９０号公報（請求項１−５  第１図）
【発明の開示】
【発明が解決しようとする課題】
【０００５】
しかしながら、従来のデジタル放送受信装置では、受信レベルが低下して視聴できなくなった度に、毎回、受信周波数の全帯域を順にスキャンするチャンネルサーチで系列放送局を探すため、番組の視聴中断時間が長いという問題がある。特に、車等の移動体で相互に系列関係にある放送局のサービス地域の境界付近を移動する場合、頻繁に系列放送局のチャンネルサーチを実施するため、番組の視聴中断時間が非常に長くなる。
【０００６】
本発明は上記したような課題を解決するためになされたもので、視聴中の番組の放送局の番組の視聴が不可になった時に、系列放送局をチャンネルサーチする時間を短縮させ、番組の視聴中断時間を短くできるデジタル放送受信装置及びその受信方法を提供することを目的とする。
【課題を解決するための手段】
【０００７】
本発明のデジタル放送受信装置は、視聴中の番組の放送局からの受信信号から得られる各種情報に基づき、該放送局からの視聴中の番組の受信信号を受信することが不可状態になったことを検出して受信不可通知を出力する受信不可検出部と、
前記視聴中の番組の放送局の少なくともチャンネル情報を記憶すると共に、前記視聴中の番組の放送局の系列放送局がチャンネルサーチで検出された場合に、その系列放送局の少なくともチャンネル情報を前記視聴中の番組の放送局の少なくともチャンネル情報と系列関係であるように関連付けて記憶させる系列放送局記憶部と、
前記受信不可検出部から受信不可通知を受信した場合に、前記系列放送局記憶部から前記系列放送局のチャンネル情報を検索し、
現在位置が受信サービス領域内である場合に受信可能となる前記系列放送局が記憶されていた場合には、該系列放送局のチャンネル情報に基づく受信信号が「現状受信可状態」か否かを判断し、「現状受信可状態」の場合に前記系列放送局の番組を視聴し、
現在位置が受信サービス領域内である場合に受信可能となる前記系列放送局が記憶されていない場合には、系列放送局をチャンネルサーチするように指示を出力する選局制御部
を備える。
又、本発明のデジタル放送受信装置の受信方法は、
視聴中の番組の放送局の少なくともチャンネル情報を記憶する第１のステップと、
視聴中の番組の放送局からの受信信号から得られる各種情報に基づき、該放送局からの視聴中の番組の受信信号を受信することが不可状態になったことを検出して受信不可通知を出力する第２のステップと、
前記受信不可通知を受信した場合に、前記系列放送局のチャンネル情報を検索する第３のステップと、
現在位置が受信サービス領域内である場合に受信可能となる前記系列放送局が記憶されていた場合には、該系列放送局のチャンネル情報に基づく受信信号が「現状受信可状態」か否かを判断する第４のステップと、
系列放送局のチャンネル情報に基づく受信信号が「現状受信可状態」の場合に前記系列放送局の番組が視聴される第５のステップと、
現在位置が受信サービス領域内である場合に受信可能となる前記系列放送局が記憶されていない場合には、系列放送局をチャンネルサーチする第６のステップと、
前記視聴中の番組の放送局の系列放送局がチャンネルサーチで検出された場合に、その系列放送局の少なくともチャンネル情報を前記視聴中の番組の放送局の少なくともチャンネル情報と系列関係であるように関連付けて記憶させる第７のステップと
を有する。
【０００８】
また、本発明のデジタル放送受信装置は、
デジタル放送番組の受信信号を受信して選局、復調、誤り訂正し、選局された番組の受信信号のＴＳ（Ｔｒａｎｓｐｏｒｔ  Ｓｔｒｅａｍ：トランスポートストリーム）を出力するチューナ部と、
前記ＴＳから映像／音声ストリームを分離抽出して出力し、前記ＴＳからＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ:サービス情報、番組配列情報）を抽出して該ＰＳＩ／ＳＩを保存するデマルチプレクス部と、
前記映像／音声ストリームから映像の復号及び音声の復号を行い復号された映像信号及び音声信号を出力する映像／音声デコード部と、
視聴中のチャンネルの受信信号から得られる各種情報に基づき、該視聴中のチャンネルの受信信号を受信することが現状で不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記チューナ部が、多重化された受信信号中の、ノイズ及びマルチパスに対する耐性が比較的弱い変調方式の階層である弱階層で伝送された信号と、多重化された受信信号中の、ノイズ及びマルチパスに対する耐性が比較的強い変調方式の階層である強階層で伝送された信号の双方を受信しており、
前記選局制御部は、
前記チューナ部により、いずれか一つのチャンネルが選局された場合に、最初は前記デマルチプレクス部及び前記映像／音声デコード部に、前記一つのチャンネルの、前記弱階層で伝送された番組の受信信号を復号させ、
前記受信不可検出部から受信不可通知を受信した場合には、
前記デマルチプレクス部及び前記映像／音声デコード部に、前記一つのチャンネルの、前記強階層に切替える切替指示を出力して、前記強階層で伝送された番組の受信信号が「現状受信可状態」か否かを判断し、
前記強階層で伝送された番組の受信信号が「現状受信不可状態」の場合に、前記記憶部に、視聴中のチャンネルに関連付けて記憶されている別のチャンネルのチャンネル情報を検索する
ことを特徴とする。
また、本発明のデジタル放送受信装置の受信方法は、
チューナ部により、デジタル放送番組の受信信号を受信して選局、復調、誤り訂正し、選局された番組の受信信号のＴＳ（Ｔｒａｎｓｐｏｒｔ  Ｓｔｒｅａｍ：トランスポートストリーム）を出力し、
デマルチプレクス部により、前記ＴＳから映像／音声ストリームを分離抽出して出力し、前記ＴＳからＰＳＩ（Ｐｒｏｇｒａｍ  Ｓｐｅｃｉｆｉｃ  Ｉｎｆｏｒｍａｔｉｏｎ：番組特定情報）／ＳＩ（Ｓｅｒｖｉｃｅ  Ｉｎｆｏｒｍａｔｉｏｎ:サービス情報、番組配列情報）を抽出して該ＰＳＩ／ＳＩを保存し、
映像／音声でコード部により、前記映像／音声ストリームから映像の復号及び音声の復号を行い復号された映像信号及び音声信号を出力し、
視聴中のチャンネルの受信信号から得られる各種情報に基づき、該視聴中のチャンネルの受信信号を受信することが現状で不可状態になったことを検出して受信不可通知を出力する受信不可検出ステップと、
記憶部により、視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、検出された前記別のチャンネルのチャンネル情報を前記視聴中のチャンネルのチャンネル情報と関連付けて記憶させる記憶ステップと、
前記受信不可検出ステップにより、受信不可が検出された場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、
当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、
前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御ステップを備え、
前記チューナ部により、多重化された受信信号中の、ノイズ及びマルチパスに対する耐性が比較的弱い変調方式の階層である弱階層で伝送された信号と、多重化された受信信号中の、ノイズ及びマルチパスに対する耐性が比較的強い変調方式の階層である強階層で伝送された信号の双方を受信しており、
前記選局制御ステップは、
前記チューナ部により、いずれか一つのチャンネルを選局した場合に、最初は前記デマルチプレクス部及び前記映像／音声デコード部に、前記一つのチャンネルの、前記弱階層で伝送された番組の受信信号を復号させ、
前記受信不可検出ステップにより受信不可が検出された場合には、
前記デマルチプレクス部及び前記映像／音声デコード部に、前記一つのチャンネルの、前記強階層に切替える切替指示を出力して、前記強階層で伝送された番組の受信信号が「現状受信可状態」か否かを判断し、
前記強階層で伝送された番組の受信信号が「現状受信不可状態」の場合に、前記記憶部に、視聴中のチャンネルに関連付けて記憶されている別のチャンネルのチャンネル情報を検索する
ことを特徴とする。
また、本発明のデジタル放送受信装置は、
デジタル放送番組の受信信号を受信して選局、復調、誤り訂正するチューナ部と、
視聴中のチャンネルの受信信号から得られる各種情報に基づき、該視聴中のチャンネルの受信信号を受信することが不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記選局制御部は、
視聴中のチャンネルと同じ番組を放送している別のチャンネル又は視聴中のチャンネルと同じ番組を放送している可能性が高い別のチャンネルが検出され、該検出された別のチャンネルのチャンネル情報を視聴中のチャンネルに関連づけて前記記憶部に記憶させる際に、当該検出されたチャンネルの優先順位を最も早い順位とするとともに、それ以前から前記記憶部に、視聴中のチャンネルに関連付けて記憶されていた他のチャンネルの優先順位を、それまでの優先順位よりも一つずつ下げて前記記憶部に記憶させ、
前記記憶部に、視聴中のチャンネルに関連付けて複数の別のチャンネルが記憶されている場合に、前記受信不可検出部から受信不可通知を受信したとき、前記複数の別のチャンネルを、前記優先順位が最も早いチャンネルから順に選択し、選択されたチャンネルの受信信号が「現状受信可状態」か否を判断し、「現状受信可状態」の場合に当該チャンネルの番組を視聴させ、
前記記憶部に視聴中のチャンネルに関連付けて記憶されていた前記別のチャンネルのすべてが「現状受信不可状態」の場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する
ことを特徴とする。
また、本発明のデジタル放送受信装置は、
デジタル放送番組の受信信号を受信して選局、復調、誤り訂正するチューナ部と、
視聴中のチャンネルの受信信号から得られる各種情報に基づき、該視聴中のチャンネルの受信信号を受信することが不可状態になったことを検出して受信不可通知を出力する受信不可検出部と、
視聴中のチャンネルのチャンネル情報を記憶すると共に、視聴中のチャンネルと同じ番組を放送している別のチャンネル又は視聴中のチャンネルと同じ番組を放送している可能性が高い別のチャンネルが前記チューナ部によるチャンネルサーチで検出された場合に、当該検出されたチャンネルのチャンネル情報を前記視聴中のチャンネルのチャンネル情報と関連付けて記憶させる記憶部と、
前記受信不可検出部から受信不可通知を受信した場合に、前記記憶部に、視聴中のチャネルに関連付けて記憶されているチャンネルのチャンネル情報を検索し、
前記記憶部に、視聴中のチャンネルに関連付けて別のチャンネルが記憶されている場合には、当該チャンネルの受信信号が「現状受信可状態」か否かを判断し、「現状受信可状態」の場合に当該チャンネルの番組を視聴させ、
前記記憶部に、視聴中のチャンネルに関連付けて別のチャンネルが記憶されていない場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する選局制御部を備え、
前記選局制御部は、
視聴中のチャンネルと同じ番組を放送している別のチャンネル又は視聴中のチャンネルと同じ番組を放送している可能性が高い別のチャンネルを検出し、検出されたチャンネルのチャンネル情報を視聴中のチャンネルに関連づけて前記記憶部に記憶させるとともに、各チャンネルの検出回数も前記記憶部に記憶させ、
前記記憶部に、視聴中のチャンネルに関連付けて複数の別のチャンネルが記憶されている場合に、前記受信不可検出部から受信不可通知を受信したとき、前記複数の別のチャンネルを、前記検出回数が多いチャンネルから順に選択し、選択されたチャンネルの受信信号が「現状受信可状態」か否かを判断し、「現状受信可状態」の場合に当該チャンネルの番組を視聴させ、
前記記憶部に視聴中のチャンネルに関連付けて記憶されていた前記別のチャンネルのすべてが「現状受信不可状態」の場合には、前記チューナ部に対して、視聴中のチャンネルと同じ番組を放送している別のチャンネル又は視聴中のチャンネルと同じ番組を放送している可能性が高い別のチャンネルをチャンネルサーチするように指示を出力する
ことを特徴とする。
【発明の効果】
【０００９】
本発明では、一旦選局されて系列関係が記録された放送局とその系列放送局の受信時で、「現状受信不可状態」になった場合には、記録を自動的に参照することで、受信周波数の全帯域をスキャンして系列放送局をチャンネルサーチする時間を省略することができ、番組視聴が中断される時間を短縮させることができる。
【発明を実施するための最良の形態】
【００１０】
実施の形態１．
図１は、この発明の実施の形態１に係るデジタル放送受信機の概略の内部構成を示すブロック図である。
図１においてチューナ部１は、デジタル放送の放送局から送出された放送信号をアンテナで受信した信号が入力され、選局、復調、誤り訂正を実施し、ＴＳ（トランスポートストリーム）を出力する。又、チューナ部１は、後述する選局制御部７からの指示出力によりチャンネルサーチして検出された放送局又は入力手段により指定された放送局からのデジタル放送番組の受信信号を受信して選局、復調、誤り訂正し、選局された番組の受信信号のＴＳを出力すると共に、それらの処理の何れかが不可状態になった場合には、その番組の受信信号の受信レベル情報、受信Ｃ／Ｎ比情報、ＰＬＬロック情報、フレームロック情報、誤り率の各種情報のうちから少なくとも一つを出力する。
【００１１】
デマルチプレクス部２は、入力するＴＳから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）を抽出し、その各番組情報をメモリに保存する。尚、この場合のメモリは、後述する系列局記憶部８でもよいし、他の記憶部でもよい。更に抽出されたＰＳＩ／ＳＩから、ＴＳ中の映像ＴＳパケット及び音声ＴＳパケットのＰＩＤ（ＴＳパケット識別子：Ｐａｃｋｅｔ  Ｉｄｅｎｔｉｆｉｅｒ）の値を検出し、ＴＳを各ＰＩＤでフィルタリングして映像ＴＳパケット及び音声ＴＳパケットを分離させて抽出し、映像／音声デコード部３に出力すると共に、それらの処理の何れかが不可状態になった場合には、ＰＡＴ（Ｐｒｏｇｒａｍ  Ａｓｓｏｃｉａｔｉｏｎ  Ｔａｂｌｅ）断絶情報、ＰＭＴ（Ｐｒｏｇｒａｍ  Ｍａｐ  Ｔａｂｌｅ）断絶情報、ＴＳ同期はずれ情報、ＴＳパケットの損失情報の各種情報の少なくとも一つを出力する。
【００１２】
映像／音声デコード部３は、映像パケット及び音声パケットから映像のデコード（復号）及び音声のデコードを行い、映像パケットの復号された映像信号は映像表示部４に出力し、音声パケットの復号された音声信号は音声出力部５に出力すると共に、それらの処理の何れかが不可状態になった場合には、デコードエラー検出情報、デコードエラー率情報の各種情報の少なくとも一つを出力する。
【００１３】
映像表示部４は、入力した映像パケットの復号された映像／音声信号データに基づいて画面に映像を表示させる。
音声出力部５は、入力した音声パケットの復号された映像／音声信号データに基づいてスピーカから音声を出力させる。
【００１４】
受信不可検出部６は、例えば、車等の移動体に搭載されるか携帯されるデジタル放送受信機では、デジタル放送受信機の受信位置が移動することから、受信位置が視聴中の番組の放送局のサービスエリア外になる場合や、地上の構造物による搬送波の遮断や減衰等の影響等を受けた場合があり、そのような場合には視聴中の番組の放送局からの番組を受信することが不可となるが、その場合を検出する部位である。
【００１５】
受信不可検出部６では、そのためにチューナ部１から受信レベル、受信Ｃ／Ｎ比情報、ＰＬＬロック情報、フレームロック情報、誤り率の情報等が入力され、デマルチプレクス部２からＰＡＴが所定の時間間隔で到来しなかった場合の途絶通知、ＰＭＴ（Ｐｒｏｇｒａｍ  Ｍａｐ  Ｔａｂｌｅ）が所定の時間間隔で到来しなかった場合の途絶通知、ＴＳにおいて１８８バイト毎に同期バイトが検出されない場合の同期ロストの通知、ＴＳのヘッダ中に存在する連続性カウンタ値の不連続を検出した際のパケットロストの通知が入力され、映像／音声デコード部３からデコードエラー検出時のエラー通知又はエラー率の通知が入力される。
【００１６】
その後、受信不可検出部６は、上記各種情報の少なくとも一つに基づいて受信信号が「現状受信不可状態」状態であることを検出する。具体的には、受信不可検出部６は、上記した入力情報又は入力通知から受信信号が「現状受信不可状態」状態又は「現状受信不可状態」直前状態であるか否かを判断し、受信信号が「現状受信不可状態」状態又は「現状受信不可状態」直前状態であると判断した場合、受信不可通知を選局制御部７に送出する。すなわち、受信不可検出部６は、視聴中の番組の放送局からの受信信号から得られる各種情報に基づき、その放送局からの視聴中の番組の受信信号を受信することが不可状態になったことを検出して受信不可通知を出力する。
【００１７】
選局制御部７は、視聴中の番組の放送局の少なくともチャンネル情報を系列放送局記憶部８又は他の記憶部に記憶させる。又、受信不可検出部６から受信不可通知を受信した場合に、後述する系列放送局記憶部８から系列放送局のチャンネル情報を検索し、現在位置が受信サービス領域内である場合に受信可能となる系列放送局が記憶されていた場合には、その系列放送局のチャンネル情報に基づく受信信号が「現状受信可状態」か否かを判断し、「現状受信可状態」の場合に系列放送局の番組を視聴し、現在位置が受信サービス領域内である場合に受信可能となる前記系列放送局が記憶されていない場合には、系列放送局をチャンネルサーチするようにチューナ部１に指示を出力する。この選局制御部７のチャンネルサーチの指示は、後述する図２の状態遷移図に従う動作となるように出力される。
【００１８】
又、後述する系列放送局記憶部８に複数の系列放送局が記憶されている場合には、受信不可検出部６から受信不可通知を受信した場合に、放送局からの視聴中の番組の受信信号から得られるサービスＩＤの地域識別値から現在地域を推定して、その隣接地域を求め、系列放送局記憶部８に記憶された複数の系列放送局のうち、視聴中の番組の受信信号の放送局の隣接地域に配置される放送局を、近い順に選局し「現状受信可状態」か否かを判断する。
【００１９】
系列放送局記憶部８は、視聴中の番組の放送局の少なくともチャンネル情報を記憶すると共に、視聴中の番組の放送局の系列放送局がチャンネルサーチで検出された場合に、その系列放送局の少なくともチャンネル情報を前記視聴中の番組の放送局の少なくともチャンネル情報と系列関係であるように関連付けて記憶させる。この系列放送局記憶部８には、複数の系列放送局が記憶される場合がある。
【００２０】
図２は、図１のデジタル放送受信装置における選局制御部７の選局動作の状態遷移図である。
図２において「放送局Ａ視聴５１」は、デジタル放送受信装置がデジタル放送局Ａの番組を視聴している状態であることを示している。「系列局サーチ５２」は、デジタル放送受信装置が放送局Ａ又はＢと同一系列に属する放送局を検索するために、例えば物理周波数の低いチャンネルから昇順に選局していき系列放送局をチャンネルサーチしている状態であることを示している。「放送局Ｂ視聴５３」は、デジタル放送受信装置がデジタル放送局Ｂの番組を視聴している状態であることを示している。尚、放送局Ａと放送局Ｂは、互いに同一系列に属するデジタル放送局である。同一系列に属するデジタル放送局では、一般的に同時刻には同じ番組を放送する確率が高いが、一部の時間帯ではそのデジタル放送局の位置する地域のみの特有の番組を放送する場合がある。
【００２１】
遷移条件は、図示したように「放送局Ａ視聴５１」の状態では、系列局（放送局Ｂ）が検出済みで「現状受信不可状態」の通知が入力された場合に「放送局Ｂ視聴５３」の状態に遷移し、系列局が未検出で「現状受信不可状態」の通知が入力された場合に「系列局サーチ５２」の状態に遷移する。又、「放送局Ｂ視聴５３」の状態では、系列局（放送局Ａ）が検出済みで「現状受信不可状態」の通知が入力された場合に「放送局Ａ視聴５１」の状態に遷移し、系列局が未検出で「現状受信不可状態」の通知が入力された場合に「系列局サーチ５２」の状態に遷移する。更に「系列局サーチ５２」の状態では、サーチ結果として系列局が検出された時に、上記した遷移元の「放送局Ａ視聴５１」又「放送局Ｂ視聴５３」の何れか一方とは異なる方の状態に遷移する。つまり遷移元が「放送局Ａ視聴５１」であれば、サーチ結果の系列局である「放送局Ｂ視聴５３」の状態に遷移し、遷移元が「放送局Ｂ視聴５３」であれば、サーチ結果の系列局である「放送局Ａ視聴５１」の状態に遷移する。
【００２２】
図３は、図１のデジタル放送受信装置における選局制御部７の動作を示すフローチャートである。
以下に、図２及び図３を用いて選局制御部７の動作について説明する。尚、図２の「放送局Ａ」及び「放送局Ｂ」について、図３では各々「局ｎ」及び「系列局ｎ’」と示した。
まずデジタル放送受信装置が、選局制御部７の指示により図２に示された２放送局の一方の放送局Ａ（＝図３の局ｎ）を視聴している状態、即ち、図２の「放送局Ａ視聴５１」の状態であるとする（Ｓ１）。この場合、選局制御部７は、その視聴中の番組の放送局ｎの少なくともチャンネル情報を系列放送局記憶部８又は他の記憶部に記憶させる（Ｓ２)。
【００２３】
上記したステップＳ１の状態で選局制御部７は、受信不可検出部６から受信不可通知を受信したか否か、即ち、「現状受信可状態」であるか「現状受信不可状態」であるかを判断する（Ｓ３）。「現状受信可状態」である場合（Ｓ３：ＹＥＳ）には、ステップＳ１に戻って局ｎの視聴を継続するが、「現状受信不可状態」である場合（Ｓ３：ＮＯ）には、系列局記憶部８に同じ系列の放送局ｎ’のチャンネル情報が記憶されているか否かを判断する（Ｓ４）。
【００２４】
系列局記憶部８に同じ系列の放送局ｎ’のチャンネル情報が記憶されていた場合（Ｓ４：ＹＥＳ）には、選局制御部７は、その同系列の放送局ｎ’の番組を選局し(Ｓ５)、受信不可検出部６から受信不可通知を受信したか否か、即ち、同系列の放送局ｎ’の番組が「現状受信可状態」であるか「現状受信不可状態」であるかを判断する（Ｓ６）。「現状受信可状態」である場合（Ｓ６：ＹＥＳ）には、その放送局ｎ’の番組が視聴される（Ｓ７）、つまり図２の「放送局Ｂ視聴５３」の状態に遷移させるが、「現状受信不可状態」である場合（Ｓ６：ＮＯ）には、ステップＳ４に戻って系列局記憶部８に同じ系列の別の放送局（例えば放送局ｎ”）のチャンネル情報が記憶されているか否かを判断する（Ｓ４）。
【００２５】
ステップＳ７で放送局ｎ’の番組の視聴中にも、その同系列の放送局ｎ’の番組が「現状受信可状態」であるか「現状受信不可状態」であるかを判断する（Ｓ８）。「現状受信可状態」である場合（Ｓ８：ＹＥＳ）には、ステップＳ７に戻ってその放送局ｎ’の番組の視聴を継続するが、「現状受信不可状態」である場合（Ｓ８：ＮＯ）には、ステップＳ４に戻って系列局記憶部８に同じ系列の別の放送局（例えば放送局ｎ”）のチャンネル情報が記憶されているか否かを判断する。
【００２６】
尚、上記ステップＳ６（系列局ｎ’選局時）及びＳ８（系列局ｎ’視聴時）の「現状受信可状態」の判断でＮＯの場合にステップＳ４に戻るのは、系列局記憶部８に同系列の複数の放送局が記憶されている場合を考慮しているためであり、その場合には、上記したように放送局からの視聴中の番組の受信信号から得られるサービスＩＤの地域識別値から現在地域を推定して、その隣接地域を求め、系列放送局記憶部８に記憶された複数の系列放送局のうち、視聴中の番組の受信信号の放送局の隣接地域に配置される放送局を近い順に選局し「現状受信可状態」か否かを判断する。又、例えば視聴中の番組の放送局ｎと同系列の放送局として記憶されているのが放送局ｎ’のみである場合には、ステップＳ６でＮＯの場合にステップＳ４には戻らないでそのままステップＳ９に進んで同系列の放送局をチャンネルサーチさせてもよい。
【００２７】
次に、ステップＳ４で系列局記憶部８に同じ系列の放送局ｎ’のチャンネル情報が記憶されていない場合（Ｓ４：ＮＯ：：但し同系列放送局が複数記憶されている場合には選局されていない同系列放送局が無い場合となる）には、選局制御部７は、図２の「系列局サーチ５２」の状態に遷移させる。つまり、選局制御部７は、チューナ部１に指示してまずサーチするチャンネルをその帯域の最小値のチャンネルにしてから（Ｓ９）、同系列の放送局をチャンネルサーチする(Ｓ１０)。ここで同系列の放送局をチャンネルサーチして検出する方法としては、例えば、デマルチプレクス部２で検出するＢＩＴ（Ｂｒｏａｄｃａｓｔｅｒ  Ｉｎｆｏｒｍａｔｉｏｎ  Ｔａｂｌｅ：ブロードキャスタの単位や、ブロードキャスタ単位毎のＳＩ伝送パラメータ等の指定）セクションにおけるaffiliation_idのフィールド値により、その値が視聴中の番組とサーチされた放送局のチャンネルの番組で同一であれば、同じ系列の放送局であると判断するようにすればよい。
【００２８】
そして、チャンネルサーチにより同系列の放送局ｎ’が検出されたか否かを判断し（Ｓ１１）、検出されない場合（Ｓ１１：ＮＯ）には、更にサーチしたチャンネルがその帯域の最大値のチャンネルになっているか否かを判断する(Ｓ１２)。サーチしたチャンネルがその帯域の最大値のチャンネルである場合（Ｓ１２：ＹＥＳ）には、ステップＳ９に戻ってサーチするチャンネルをその帯域の最小値のチャンネルにしてからチャンネルサーチを繰り返すが、最大値のチャンネルではない場合（Ｓ１２：ＮＯ）には、サーチするチャンネルを一つ繰り上げて（＋１）から（Ｓ１３）ステップＳ１０に戻って同系列の放送局をチャンネルサーチする。
【００２９】
一方、ステップＳ１１でチャンネルサーチにより同系列の放送局ｎ’が検出された場合（Ｓ１１：ＹＥＳ）には、選局制御部７は、その同系列の放送局ｎ’のチャンネル情報と、ステップＳ２で記憶された視聴中の番組の放送局ｎのチャンネル情報とが同じ系列関係の放送局であることがわかるように関連付けて系列局記憶部８に記憶させる(Ｓ１４)と共に、その同系列の放送局ｎ’の番組が視聴される（Ｓ１５）、つまり図２の「放送局Ｂ視聴５３」の状態に遷移させる。
【００３０】
ステップＳ１５で放送局ｎ’の番組の視聴中にも、その同系列の放送局ｎ’の番組が「現状受信可状態」であるか「現状受信不可状態」であるかを判断する（Ｓ１６）。「現状受信可状態」である場合（Ｓ１６：ＹＥＳ）には、ステップＳ１５に戻ってその放送局ｎ’の番組の視聴を継続するが、「現状受信不可状態」である場合（Ｓ１６：ＮＯ）には、ステップＳ４に戻って系列局記憶部８に同じ系列の別の放送局（例えば放送局ｎ”）のチャンネル情報が記憶されているか否かを判断する。
【００３１】
従来のデジタル放送受信装置では、上記ステップＳ８又はステップＳ１６でＮＯの場合のように視聴中あるいは視聴しようとする放送局の番組が「受信不可」になった場合に、系列局記憶部８等の過去の系列局の受信記録を参照することなく全チャンネル帯域をサーチして同系列の放送局を検出していた。しかし、本実施の形態におけるその場合には、まず系列局記憶部８の過去の受信記録（チャンネル情報）を参照して同系列の放送局を直接に選局するので、例えば放送局ｎ’の番組の視聴が不可である場合に放送局ｎの番組の視聴が可能である場合には、改めて全チャンネル帯域をサーチする場合に比べて、同じ番組の画像を表示させるまでの時間を短くすることができる。逆に、放送局ｎの番組の視聴が不可である場合に放送局ｎ’の番組の視聴が可能である場合には、改めて全チャンネル帯域をサーチする場合に比べて、同じ番組の画像を表示させるまでの時間を短くすることができる。
【００３２】
言い換えれば、従来は、例えば図２の「放送局Ａ視聴５１」の状態で視聴が不可になった場合には、全ての場合で「系列局サーチ５２」の状態に遷移させてから、「放送局Ｂ視聴５３」の状態に遷移させていたが、本実施の形態では、系列局記憶部８に過去の系列局の受信記録（チャンネル情報）があれば、その場合には、「放送局Ａ視聴５１」の状態から直接に「放送局Ｂ視聴５３」の状態に遷移させることができる。従って、同じ番組の画像を表示させるまでの時間を短くすることができる。
【００３３】
ここまでは系列放送局記憶部８に放送局ｎと系列放送局ｎ’が記憶されていた場合を、主に基本的な構成と動作を説明してきたが、系列放送局記憶部８には、複数の系列放送局が記録されている場合もある。本実施の形態では、その場合に系列放送局記憶部８の記憶内容から現在受信中の放送局に隣接する放送局を順に選局して「現状受信可状態」である放送局を検出する。
【００３４】
そのためには、デジタル放送受信装置で現在視聴中の番組の放送局の識別情報、各デジタル放送局毎に分割されたサービス地域の割り当て情報（隣接情報を含む）、地域毎の識別情報等が必要になる。図４は、地上デジタル放送におけるサービスＩＤのビット構成を示す図であり、図５は、地上デジタル放送におけるサービスＩＤの地域識別フィールドの分類を示す図であり、図６は、地上デジタル放送における地域識別フィールドの地域割り当て状況を示す図である。
【００３５】
まず、現在視聴中の番組の放送局の識別情報、即ち、デジタル放送受信装置の現在位置がどの放送局のサービス地域内であるかを推定する。図４のサービスＩＤのビット配置では、１６ビットの構成でビット１５からビット１０までが地域識別コードのフィールドとなっており、その地域識別コードの値は全国の各放送局毎にユニークな値が割り当てられている。つまり、現在選局している放送局からの受信信号中からサービスＩＤを抽出し、さらに地域識別コードのフィールドの６ビットの値を抽出することで６４種類の地域識別値の何れかが得られる。
【００３６】
次に抽出された地域識別値の判断であるが、例えば図５を用いることにより、０から９が広域放送であり、１０から６３が県域（県内局）放送であることがわかる。さらに具体的には、例えば図６を用いることにより、地域識別コードが割り当てられている各地域を検出することができる。
【００３７】
本実施の形態では、図４〜図６を用いてデジタル放送受信装置で現在視聴中の番組の放送局の地域識別コードから、そのデジタル放送受信装置の現在位置が現在視聴中の番組の放送局のサービス地域内であることを推定し、次に、例えば図６の地域割り当て状況から、現在位置の放送局のサービス地域に隣接するサービス地域の地域識別コードを検出する。そして、系列放送局記憶部８に記憶された複数の系列放送局のサービスＩＤから、隣接するサービス地域として検出された地域識別コードを含むサービスＩＤを有する放送局を検索する。又、その検索された放送局が複数である場合には、例えば検索された順に選局して、「現状受信可状態」であるか否かを判断し、「現状受信可状態」である系列放送局を視聴する。
【００３８】
以上のように本実施の形態では、視聴中の番組の放送局の番組のチャンネル情報を記録しておき、その番組が視聴不可になったことからチャンネルサーチで系列放送局の番組を検出した場合に、その系列放送局の番組のチャンネル情報を、視聴中であった放送局の番組のチャンネル情報と系列関係であるように関連付けて記録しておく。その後、視聴中の番組の放送局の番組が再度視聴不可になった場合には、記録された系列放送局をチャンネル情報で選局し、逆に系列放送局の番組が視聴不可になった場合には、記録された元の放送局をチャンネル情報で選局する。
【００３９】
従って、一旦選局されて系列関係が記録された放送局とその系列放送局の受信時には、「現状受信不可状態」になった場合に記録を自動的に参照することで従来のような受信周波数の全帯域をスキャンして系列放送局をチャンネルサーチする時間を省略することができ、番組視聴が中断される時間を短縮させることができ、番組の継続視聴性を改善することができる。
特に、車等の移動体で相互に系列関係にある放送局のサービス地域の境界付近を移動する場合に、短時間で自動的に系列放送局に切り替えて従来のように系列放送局のチャンネルサーチを頻繁に実施しないようにできるので、番組の視聴中断時間を顕著に短縮でき、番組の継続視聴性も顕著に改善することができる。
【００４０】
又、本実施の形態のデジタル放送受信装置では、車等の移動体が移動した結果視聴中の番組が「現状受信不可状態」になった時に、使用者が操作することなしに自動的に系列放送局を選局することができる。又、受信不可検出部６における検出の方法によっては受信不可になる直前等に他の系列放送局を自動的に選局することができる。
【００４１】
又、本実施形態のデジタル放送受信装置では、選局制御部７が、例えば、デマルチプレクス部２で検出するＢＩＴセクションにおけるaffiliation_idのフィールド値を用いて同系列の放送局をチャンネルサーチするので、受信不可になり視聴できなくなった番組と同一の番組が放送されている可能性が高い系列放送局を選局することができるので、同一番組を継続して視聴できる可能性を高くすることができる。
【００４２】
又、本実施形態のデジタル放送受信装置では、系列放送局記憶部８に複数の系列放送局が記録されている場合、系列放送局を検索する際に、現在視聴中の番組のサービスＩＤから現在視聴中の番組の放送局の地域識別コードを抽出してサービス地域を検出する。そしてそのサービス地域に隣接するサービス地域となるサービスＩＤを有する系列放送局のみを選局する。この処理により本実施形態のデジタル放送受信装置では、現在視聴中の番組の放送局のサービス地域にサービス地域が隣接していない無駄な系列放送局を検索して「現状受信可状態」であるか判断する時間を省略することができ、「現状受信可状態」である系列放送局の検出を短時間にすることができる。
【００４３】
実施の形態２．
上記した実施の形態１のデジタル放送受信装置では、受信不可になった場合に番組視聴が中断される時間を短縮させて番組の継続視聴性を改善することができたが、例えば、トンネル等の電波の到達できない環境や電波が受信不良となる環境に移動した場合に、選局制御部７では受信レベルが低下したと判断し、系列放送局をチャンネルサーチしてしまう誤動作については改善することができなかった。
【００４４】
より具体的には、従来のデジタル放送受信装置では、例えばトンネル内などのように電波の到達できない環境に移動した場合に、全放送局が受信できないにもかかわらず、系列放送局の無駄なチャンネルサーチが行われる。その場合、例えば、系列放送局をチャンネルサーチしている最中にトンネルから出て、トンネルに入る前に視聴していた番組の放送局の電波が十分受信出来る環境であった場合には、系列放送局のチャンネルサーチでそのトンネルに入る前に視聴していた番組の放送局を検出するまでの時間が必要になる。
【００４５】
つまりチャンネルサーチを実施しないでトンネルに入る前の状態を維持していれば、トンネルから出てすぐに元の放送局の電波を受信して視聴を再開できたのが、チャンネルサーチで元の放送局が検出されるまでは視聴を再開できないことになり、余分な時間を要してしまうことになる。本実施の形態２では、この誤動作を改善するデジタル放送受信装置について説明する。
【００４６】
図７は、この発明の実施の形態２に係るデジタル放送受信機の概略の内部構成を示すブロック図である。
図７のデジタル放送受信機の基本的な構成は図１に示した実施の形態１の構成と同様であるが、位置検出部９が追加されている点が異なる。
【００４７】
位置検出部９は、例えば、ＧＰＳ（Global  Positioning  System)システムの受信機であり、ＧＰＳアンテナで受信された複数のＧＰＳ衛星からの電波信号が入力されて、その入力した電波信号に基づいてデジタル放送受信機の現在位置を検出するものであり、その検出された現在位置を選局制御部７に出力したり、地図データ上に表示させることができる。
【００４８】
さらに本実施の形態の位置検出部９では、現在位置を検出するのみでなく、例えば、現在位置が、どの放送局の電波も受信できないようなトンネル内や、電波の受信強度に影響を与える（低下させる）構造物の影響範囲内であると判別した場合、選局制御部７に「現状受信不可状態の位置であること」を通知することができる。
【００４９】
本実施の形態の選局制御部７は、位置検出部９から「現状受信不可状態の位置であること」の通知が受信されない場合には、図３に示した実施の形態１と同様な動作を行う。
【００５０】
しかし、位置検出部９から「現状受信不可状態の位置であること」の通知が受信された場合には、受信不可検出部６から「現状受信不可状態」の通知があっても、選局制御部７は、図３の動作における系列放送局の自動選局を行わないように動作する。
つまり、現状受信不可状態の位置である場合には、選局制御部７は、系列放送局が未検出であってもチューナ部１で系列放送局をチャンネルサーチを実施せず、又、系列放送局が検出済みであっても、系列放送局記憶部８から系列放送局を検索して選局する動作を実施しない。
【００５１】
このように本実施の形態のデジタル放送受信装置では、ＧＰＳ衛星からの電波を受信し現在位置を把握するようにしたので、例えばトンネル内などのように電波の到達できない環境に移動したとき、全放送局が受信できないにもかかわらず、系列放送局のサーチが行われてしまう無駄な動作を防ぐことができる。より具体的には、トンネル等の電波の到達できない環境や電波が受信不良となる環境に移動した場合には、系列放送局が未検出であっても系列放送局をチャンネルサーチを実施せず、又、系列放送局が検出済みであっても系列放送局を検索して選局する動作を実施しないで視聴していた番組の選局状態を維持するので、電波の受信環境が良好な場所に移動した際に、電波の受信環境が悪くなる前に視聴していた番組の視聴を短時間で復帰させることができる。
【００５２】
実施の形態３．
従来のデジタル放送受信装置では、受信不可通知の入力時に、チャンネルサーチして系列放送局を検出し、受信できなくなった番組の番組タイトルと同じ番組タイトルの番組、又は、受信できなくなった番組のジャンルと同じジャンルの番組、又は、受信できなくなった番組の番組識別番号と同じ番組識別番の番組を選局するようにしている。
しかし、番組タイトルや番組のジャンルや番組識別番号だけでは、何れも受信不可通知の入力前と同じ番組を特定するためには十分な情報ではないので、受信不可通知の入力前と同じ番組を選局できない場合がある。
【００５３】
地上波のデジタル放送では、地域毎の特色が有る番組や、その地域限定情報を放送する場合があるので、系列放送局であってもニュースや天気予報等は必ずしも同一番組が同時刻に放送されているとは限らず、例えば、各放送局のサービス領域に限定のニュースを放送する場合がある。従って、従来のデジタル放送受信装置では、番組の名称は「昼のニュース」等で同じで、番組のジャンルも、「ニュース番組」で同じであっても、系列放送局をサーチする前に視聴していた番組と異なる場合がある。
【００５４】
番組識別番号は、ＡＲＩＢの地上デジタルテレビジョン放送運用規定ＴＲ−Ｂ１４におけるevent_idに対応するものであり、１サービス内で一意的に割り当てられるものであるので、放送局が異なれば違う番組であっても同じevent_idが割り振られるケースもあり得る。つまり、同じ番組識別番号の系列放送局を選んでも、同じ番組を選局できない場合が有る。
【００５５】
視聴中だった放送局の番組と、受信不可通知により選局された系列放送局の番組が同一であるかの判断は、従来は、例えば、番組のＰＳＩ／ＳＩの中から番組の名称（タイトル）で判断しており、上記した実施の形態１ではＢＩＴセクションにおけるaffiliation_idのフィールド値により番組が同一であるかを判断している。本実施の形態では従来よりも番組の同一性の判断を改善する場合について説明する。
【００５６】
図８は、この発明の実施の形態３のデジタル放送受信装置における選局制御部７の選局動作の状態遷移図である。
実施の形態３におけるデジタル放送受信機では、実施の形態２の図７の構成における選局制御部７の動作が、図２に示した状態遷移の動作ではなく、図８に示した状態遷移の動作となる点が異なっている。
【００５７】
図８において、「番組Ａ視聴６１」の状態と「番組Ｂ視聴６２」の状態は、同系列ではあるが各々別の放送局（チャンネル）で同一時刻に放送されている同一番組を視聴している状態を示している。図８の「番組Ａ視聴６１」の状態の場合で、実施の形態１と同様に受信不可検出部６が「現状受信不可状態」であることを検出した場合には、選局制御部７に受信不可通知が入力される。
【００５８】
選局制御部７では、視聴中の番組のＰＳＩ／ＳＩの中から予めＥＩＴ（Ｅｖｅｎｔ  Ｉｎｆｏｒｍａｔｉｏｎ  Ｔａｂｌｅ）セクションの情報（番組の名称、放送日時、内容の説明等の番組に関する情報）を検出しておき、検出された各系列放送局のＰＳＩ／ＳＩから、現在視聴中だったその番組のＥＩＴと同一のフィールド値を有する系列放送局が存在するか否かを判断し、存在する場合に該当チャンネルを選局して同一番組が視聴される。
このようにして「番組Ｂ視聴６２」の状態に遷移する。
【００５９】
ここでＰＳＩ／ＳＩを用いて同一番組を判別するためには、例えば、ＥＩＴセクション中の短形式イベント記述子におけるevent_name_char（番組名）のフィールド値、text_char（番組記述）のフィールド値を比較することにより判別される。番組名のフィールド値の比較では、番組名が比較されることで同一番組が判別され、さらにＰＳＩ／ＳＩ中の番組記述（番組の概要説明や、出演者等）が比較されることにより、同一番組をより高い精度で判別することができる。
【００６０】
又、実施の形態２の図７のように位置検出部９を有し、その位置検出部９により現在位置が受信不可地域であることが検出された場合には、選局制御部７は、図８の状態遷移図において、「番組Ａ視聴６１」と「番組Ｂ視聴６２」間の同一番組への状態遷移（自動選局）は実施されないように動作する。
【００６１】
以上のように本実施の形態では、視聴中の番組が受信できなくなった場合か受信できなくなると判断された場合に、予め検出された各放送局のＰＳＩ／ＳＩ中の番組記述（番組の概要説明や、出演者等）を利用して、視聴できなくなった番組と同じＰＳＩ／ＳＩを有する番組（同一番組）を選局するため、番組タイトルや番組ジャンル及び番組識別を使用し同一番組を検出する場合に比べて、同一番組を検出する精度を高めることができる。
【００６２】
例えば、番組がニュースや天気予報等の場合には、系列外の放送局とタイトルが類似する場合も多く、毎日同じタイトルで放送されることが多いので、タイトルだけでは各々を区別できないケースがある。そのような場合でも本実施の形態では、ＰＳＩ／ＳＩに含まれる登場人物や概要説明を用いるので番組の同一性の判断が正確になり、系列放送局の検出精度を改善することができる。
【００６３】
実施の形態４．
従来のデジタル放送受信装置では、受信レベルが低下し視聴ができないと判断したとき、放送局から送出される信号のうち、ノイズやマルチパスによる影響の受けやすい強階層伝送の番組の受信信号のみ選局している。
【００６４】
図９は、この発明の実施の形態４に係るデジタル放送受信機の概略の内部構成を示すブロック図である。
図９のデジタル放送受信機の基本的な構成は図１に示した実施の形態１の構成と同様であるが、本実施の形態のデジタル放送受信機は、固定受信機向けに意図されてノイズやマルチパスには弱いが画質が良い弱階層伝送の番組の受信信号と、移動体に搭載又は使用者に携帯されるデジタル放送受信機向けに意図されてノイズやマルチパスに強い強階層伝送の番組の受信信号の双方の信号を受信し、選局制御部７から番組を受信する信号の強階層／弱階層の切替指示が出力されてデマルチプレス部２と映像／音声デコード部３に入力される点が異なる。
【００６５】
強階層伝送の番組の受信信号は、ノイズやマルチパスへの耐性があるがビットレートが低く、伝送されるコンテンツは、簡易動画及び簡易音声の型式で伝送される。
一方、弱階層伝送の番組の受信信号は、固定受信機向けのためビットレートが高く、高画質の動画、高音質の型式で伝送される。強階層伝送と弱階層伝送の映像／音声圧縮方式は各々異なっている。
【００６６】
例えば、強階層に相当する１セグ放送では、動画圧縮方式としてはＨ．２６４／ＡＶＣ（ＭＰＥＧ−４  Ｐａｒｔ１０：Ａｄｖａｎｃｅｄ  Ｖｉｄｅｏ  Ｃｏｄｉｎｇ：ＭＰＥＧはＭｏｖｉｎｇ  Ｐｉｃｔｕｒｅ  Ｅｘｐｅｒｔｓ  Ｇｒｏｕｐ）の符号化方式が採用され、音声圧縮方式としてはＡＡＣ（Ａｄｖａｎｃｅｄ  Ａｕｄｉｏ  Ｃｏｄｉｎｇ）＋ＳＢＲ（Ｓｐｅｃｔｒａｌ  Ｂａｎｄ  Ｒｅｃｏｎｓｔｒｕｃｔｉｏｎ：スペクトル再生）の方式が採用されている。
一方、固定受信機向けの弱階層の放送では、動画圧縮方式としては、ＭＰＥＧ２の符号化方式が採用され、音声圧縮方式としては、ＡＡＣが採用されている。
【００６７】
図９における映像／音声デコード部３は、上記したような強階層又は弱階層で伝送される動画圧縮方式及び音声圧縮方式に対応する復号が可能であるように構成される。
【００６８】
チューナ部１では、同一チャンネル内の弱階層伝送用データと強階層伝送用データが多重化されて、同時にデマルチプレクス部２に出力する。チューナ部１では、同一チャンネル内の強階層伝送の番組と弱階層伝送の番組を切り替える選局は実施されないが、視聴するサービスについては使用者の指定により強階層伝送の番組と弱階層伝送の番組で切り替える必要があるため、選局制御部７からデマルチプレクス部２には、強階層伝送／弱階層伝送の番組切替指示が通知される。その結果、デマルチプレクス部２からは、映像／音声デコード部３に対して、使用者に指定された階層伝送に含まれる映像ストリーム／音声ストリームが出力される。
【００６９】
映像／音声デコード部３では、入力する映像ストリーム／音声ストリームに対して、選局制御部７からの強階層伝送／弱階層伝送の番組切替指示により、対応する映像ストリーム／音声ストリームの各データの復号処理を行い、映像表示部４に復号された映像信号データを出力すると共に、音声出力部５に復号された音声信号データを出力し、映像表示部４で映像を表示させ、音声出力部５で音声を出力させる。
【００７０】
受信不可検出部６には、チューナ部１から受信レベル、受信Ｃ／Ｎ比情報、ＰＬＬロック情報、フレームロック情報、誤り率情報等が通知される。
さらにデマルチプレクス部２からは、ＰＡＴ、ＰＭＴが所定の時間間隔で到来しなかった場合に、ＰＡＴ途絶通知、及びＰＭＴ途絶通知が受信不可検出部６に通知される。
又、ＴＳから１８８バイト毎に同期バイトが検出されない場合には、同期ロストの通知が通知される。さらに、ＴＳパケットのヘッダ中に存在する連続性カウンタ値の不連続を検出した際に、パケットロストの通知がなされる。又、映像／音声デコード部３からは、デコードエラー検出時にエラー通知、もしくはエラー率が受信不可検出部６に通知される。
【００７１】
これらの通知された情報から受信不可検出部６は、「現状受信不可状態」状態もしくは「現状受信不可状態」の直前状態であるか否かを判断し、「現状受信不可状態」状態であると判断された場合、選局制御部７に受信不可通知を行う。選局制御部７は、以下に示す図１０の状態遷移の動作となるように、チューナ部１への選局指示、デマルチプレクス部２及び映像／音声デコード部３に強階層伝送／弱階層伝送の番組切替指示を出力する。
【００７２】
図１０は、この発明の実施の形態４における選局制御部７の選局動作の状態遷移図である。
図１０において、「放送局Ａの弱階層視聴７１」の状態は、放送局Ａの弱階層伝送番組を視聴している状態であり、「放送局Ａの強階層視聴７２」の状態は、放送局Ａの強階層伝送番組を視聴している状態である。「放送局Ｂの弱階層視聴７３」の状態は、放送局Ｂの弱階層伝送番組を視聴している状態であり、「放送局Ｂの強階層視聴７４」の状態は、放送局Ｂの強階層伝送番組を視聴している状態である。又、放送局Ａと放送局Ｂは互いに系列放送局の関係であり、各放送局で視聴される番組は、全て同一時刻に放送されている同一番組である。
【００７３】
「系列局サーチ７５」の状態は、放送局Ａ又はＢの系列放送局を、例えば物理周波数の低いチャンネルから順にチャンネルサーチしていき系列放送局を選局している状態である。
【００７４】
図１１は、この発明の実施の形態４における選局制御部７の動作フロー図である。
以下に、図１１を用いて選局制御部７の動作を説明する。まず、デジタル放送受信装置が、選局制御部７の指示により図１０に示された２放送局の一方の放送局Ａ（＝図１１の局ｎ）の弱階層伝送の番組を視聴している状態、即ち、図１０の「放送局Ａの弱階層視聴７１」の状態であるとする（Ｓ２１）。この場合、選局制御部７は、その視聴中の番組の放送局ｎの少なくともチャンネル情報を系列放送局記憶部８又は他の記憶部に記憶させる（Ｓ２２)。
【００７５】
上記したステップＳ２１の状態で選局制御部７は、受信不可検出部６から受信不可通知を受信したか否か、即ち、「現状受信可状態」であるか「現状受信不可状態」であるかを判断する（Ｓ２３）。「現状受信可状態」である場合（Ｓ２３：ＹＥＳ）には、ステップＳ２１に戻って局ｎの弱階層伝送の番組の視聴を継続するが、「現状受信不可状態」である場合（Ｓ２３：ＮＯ）には、局ｎの強階層伝送の番組を視聴している状態、即ち、図１０の「放送局Ａの強階層視聴７２」の状態（Ｓ２４）、選局制御部７は、受信不可検出部６から「現状受信不可状態」通知を受信したか否か、即ち、「現状受信可状態」であるか「現状受信不可状態」であるかを判断する（Ｓ２５）。
【００７６】
局ｎの強階層伝送の番組が「現状受信可状態」である場合（Ｓ２５：ＹＥＳ）には、選局制御部７は、ステップＳ３４に進んで局ｎの弱階層伝送の番組の受信が可能であるか否か、即ち、「現状受信可状態」であるか「現状受信不可状態」であるかを判断する（Ｓ３４）。局ｎの弱階層伝送の番組の受信が可能である場合（Ｓ３４：ＹＥＳ）には、ステップＳ２１に戻って局ｎの弱階層伝送の番組が視聴されるが、局ｎの弱階層伝送の番組の受信が不可である場合（Ｓ３４：ＮＯ）には、ステップＳ２４に戻って局ｎの強階層伝送の番組が視聴される。一方、ステップＳ２５で局ｎの強階層伝送の番組が、「現状受信不可状態」である場合（Ｓ２５：ＮＯ）には、選局制御部７は、系列局記憶部８に同じ系列の放送局ｎ’のチャンネル情報が記憶されているか否かを判断する（Ｓ２６）。
【００７７】
系列局記憶部８に同じ系列の放送局ｎ’のチャンネル情報が記憶されていた場合（Ｓ２６：ＹＥＳ）には、選局制御部７は、その同系列の放送局ｎ’の番組を選局し(Ｓ２７)、受信不可検出部６から受信不可通知を受信したか否か、即ち、同系列の放送局ｎ’の番組が「現状受信可状態」であるか「現状受信不可状態」であるかを判断する（Ｓ２８）。「現状受信可状態」である場合（Ｓ２８：ＹＥＳ）には、その放送局ｎ’の弱階層伝送の番組を視聴し（Ｓ２９）、つまり図１０の「放送局Ｂの弱階層視聴７３」の状態に遷移させ、選局制御部７は、その放送局ｎ’の弱階層伝送の番組を視聴中にも受信不可検出部６から受信不可通知を受信したか否か、即ち、「現状受信可状態」であるか「現状受信不可状態」であるかを判断する（Ｓ３０）。
【００７８】
局ｎ’の弱階層伝送の番組の受信が可能である場合（Ｓ３０：ＹＥＳ）には、選局制御部７は、ステップＳ２９に戻って局ｎ’の弱階層伝送の番組が視聴されるが、局ｎ’の弱階層伝送の番組の受信が不可である場合（Ｓ３０：ＮＯ）には、局ｎ’の強階層伝送の番組が視聴される（Ｓ３１）、つまり図１０の「放送局Ｂの強階層視聴７４」の状態に遷移させる。
【００７９】
一方、ステップＳ２８で「現状受信不可状態」である場合（Ｓ２８：ＮＯ）にも、選局制御部７は、その放送局ｎ’の強階層伝送の番組を視聴し（Ｓ３１）、選局制御部７は、その放送局ｎ’の強階層伝送の番組を視聴中にも受信不可検出部６から受信不可通知を受信したか否か、即ち、「現状受信可状態」であるか「現状受信不可状態」であるかを判断する（Ｓ３２）。「現状受信可状態」である場合（Ｓ３２：ＹＥＳ）には、その放送局ｎ’の弱階層伝送の番組の受信が「現状受信可状態」であるか「現状受信不可状態」であるかを判断する（Ｓ３３）。「現状受信不可状態」である場合（Ｓ３３：ＮＯ）には、ステップＳ３１に戻って、その放送局ｎ’の強階層伝送の番組の視聴を継続するが、「現状受信可状態」である場合（Ｓ３３：ＹＥＳ）には、ステップＳ２９に戻って、その放送局ｎ’の弱階層伝送の番組が視聴される。
ステップＳ３２で「現状受信不可状態」である場合（Ｓ３２：ＮＯ）には、ステップＳ２６に戻り再度系列局記憶部８に同じ系列の放送局ｎ’のチャンネル情報が記憶されているか否かを判断する。
【００８０】
尚、上記ステップＳ３２（系列局ｎ’強階層視聴時）の「現状受信可状態」の判断でＮＯの場合にステップＳ２６に戻るのは、系列局記憶部８に同系列の複数の放送局が記憶されている場合を考慮しているためであり、その場合には、上記したように放送局からの視聴中の番組の受信信号から得られるサービスＩＤの地域識別値から現在地域を推定して、その隣接地域を求め、系列放送局記憶部８に記憶された複数の系列放送局のうち、視聴中の番組の受信信号の放送局の隣接地域に配置される放送局を近い順に選局し「現状受信可状態」か否かを判断する。又、例えば視聴中の番組の放送局ｎと同系列の放送局として記憶されているのが放送局ｎ’のみである場合には、ステップＳ３２でＮＯの場合にステップＳ２６には戻らないでそのままステップＳ３５に進んで同系列の放送局をチャンネルサーチさせてもよい。
【００８１】
次に、ステップＳ２６で系列局記憶部８に同じ系列の放送局ｎ’のチャンネル情報が記憶されていない場合（Ｓ２６：ＮＯ：：但し同系列放送局が複数記憶されている場合には選局されていない同系列放送局が無い場合となる）には、選局制御部７は、図１０の「系列局サーチ７５」の状態に遷移させる。つまり、選局制御部７は、チューナ部１に指示してまずサーチするチャンネルをその帯域の最小値のチャンネルにしてから（Ｓ３５）、同系列の放送局をチャンネルサーチする(Ｓ３６)。ここで同系列の放送局をチャンネルサーチして検出する方法としては、実施の形態１と同様な方法を用いればよい。
【００８２】
そして、チャンネルサーチにより同系列の放送局ｎ’が検出されたか否かを判断し（Ｓ３７）、検出されない場合（Ｓ３７：ＮＯ）には、更にサーチしたチャンネルがその帯域の最大値のチャンネルになっているか否かを判断する(Ｓ３８)。サーチしたチャンネルがその帯域の最大値のチャンネルである場合（Ｓ３８：ＹＥＳ）には、ステップＳ３５に戻ってサーチするチャンネルをその帯域の最小値のチャンネルにしてからチャンネルサーチを繰り返すが、最大値のチャンネルではない場合（Ｓ３８：ＮＯ）には、サーチするチャンネルを一つ繰り上げて（＋１）から（Ｓ３９）ステップＳ３６に戻って同系列の放送局をチャンネルサーチする。
【００８３】
一方、ステップＳ３７でチャンネルサーチにより同系列の放送局ｎ’が検出された場合（Ｓ３７：ＹＥＳ）には、選局制御部７は、その同系列の放送局ｎ’のチャンネル情報と、ステップＳ２２で記憶された視聴中の番組の放送局ｎのチャンネル情報とが同じ系列関係の放送局であることがわかるように関連付けて系列局記憶部８に記憶させる(Ｓ４０)と共に、その同系列の放送局ｎ’の弱階層伝送の番組が視聴される（Ｓ４１）、つまり図１０の「放送局Ｂの弱階層視聴７３」の状態に遷移させる。
【００８４】
ステップＳ４１で放送局ｎ’の弱階層伝送の番組の視聴中にも、その同系列の放送局ｎ’の弱階層伝送の番組が「現状受信可状態」であるか「現状受信不可状態」であるかを判断する（Ｓ４２）。「現状受信可状態」である場合（Ｓ４２：ＹＥＳ）には、ステップＳ４１に戻ってその放送局ｎ’の弱階層伝送の番組の視聴を継続するが、「現状受信不可状態」である場合（Ｓ４２：ＮＯ）には、放送局ｎ’の強階層伝送の番組が視聴される（Ｓ４３）、つまり図１０の「放送局Ｂの強階層視聴７４」の状態に遷移させ、選局制御部７は、その放送局ｎ’の強階層伝送の番組を視聴中にも受信不可検出部６から受信不可通知を受信したか否か、即ち、「現状受信可状態」であるか「現状受信不可状態」であるかを判断する（Ｓ４４）。「現状受信不可状態」である場合（Ｓ４４：ＮＯ）には、ステップＳ２６に戻って、系列局記憶部８に同じ系列の放送局ｎ’のチャンネル情報が記憶されているか否かを判断するが、「現状受信可状態」である場合（Ｓ４４：ＹＥＳ）には、その放送局ｎ’の弱階層伝送の番組の受信が「現状受信可状態」であるか「現状受信不可状態」であるかを判断する（Ｓ４５）。「現状受信不可状態」である場合（Ｓ４５：ＮＯ）には、ステップＳ４３に戻って、その放送局ｎ’の強階層伝送の番組の視聴を継続するが、「現状受信可状態」である場合（Ｓ４５：ＹＥＳ）には、ステップＳ４１に戻って、その放送局ｎ’の弱階層伝送の番組が視聴される。
【００８５】
本実施の形態では、「放送局Ａの弱階層視聴８１」の状態である場合に、実施の形態４に記載したのと同様に受信不可検出部６が「現状受信不可状態」を検出した場合には、受信不可通知が選局制御部７に送信される。
【００８６】
受信不可検出部６から受信不可通知を受信した選局制御部７は、デマルチプレクス部２及び映像／音声デコード部３に強階層伝送／弱階層伝送の番組切替指示を通知し、図１０の「放送局Ａの強階層視聴７２」の状態に遷移させて、放送局Ａの強階層伝送による番組が視聴される。図１０の「放送局Ａの強階層視聴７２」の状態で、更に受信不可検出部６から受信不可通知を受信した場合で、系列放送局が未検出の場合には、選局制御部７は「系列局サーチ７５」の状態に遷移し、系列放送局のサーチを行う。系列放送局の検出は、実施の形態１と同様に、例えば、デマルチプレクス部２で検出するＢＩＴセクションにおけるaffiliation_idのフィールド値が同一であれば系列放送局と判断すればよい。
【００８７】
図１０の「系列局サーチ７５」の状態で系列放送局の検出ができた場合には、選局制御部７は放送局Ａと放送局Ｂが系列放送局であることを図９の系列放送局記憶部８に記録し、「放送局Ｂの弱階層視聴７３」の状態に遷移する。「放送局Ｂの弱階層視聴７３」の状態において受信不可通知を受信した場合、選局制御部７は、デマルチプレクス部２及び映像／音声デコード部３に強階層伝送／弱階層伝送の番組切替指示を通知し、図１０の「放送局Ｂの強階層視聴７４」の状態に遷移させて、放送局Ｂの強階層伝送を視聴する。
【００８８】
この「放送局Ｂの強階層視聴７４」の状態で受信不可検出部６から受信不可通知を受信した場合、選局制御部７は、放送局Ｂの系列放送局は放送局Ａであることが、系列放送局記録部８を参照することによりわかるため、再度「系列局サーチ７５」を実施するのではなく、系列放送局である放送局Ａを選局し、「放送局Ａの弱階層視聴７１」の状態に直接に遷移する。
【００８９】
その後、「放送局Ａの弱階層視聴７１」の状態になっても放送局Ａが受信できない場合には、「放送局Ａの強階層視聴７２」の状態に遷移し、この「放送局Ａの強階層視聴７２」の状態で受信不可検出部６から受信不可通知を受信した場合には、系列放送局が未検出の場合には「系列局サーチ７５」の状態に遷移させて、改めて系列放送局サーチを実施する。
【００９０】
又、系列放送局記憶部８に複数の系列放送局が記録されていた場合、実施の形態１と同様に現在視聴中だったサービスＩＤに含まれる地域識別値から現在地域を推定し、隣接する地域の地域識別コードを求め、求めた地域識別コードを含むサービスＩＤを持つ放送局を系列放送局記憶部８から検索する。その後、検索された放送局を順に選局し「現状受信可状態」な系列放送局を視聴する。
【００９１】
又、図１０の強階層伝送番組を視聴している「放送局Ａの強階層視聴７２」の状態及び「放送局Ｂの強階層視聴７４」状態において、チューナ部１からの受信レベル情報、受信Ｃ／Ｎ比情報、ＰＬＬロック情報、フレームロック情報、誤り率の情報、デマルチプレクス部２からのＰＡＴ、ＰＭＴ途絶通知、ＴＳ同期ロスト、及びパケットロスト通知、さらに映像／音声デコード部３からのエラー通知もしくはエラー率が受信不可検出部６に通知され、その各通知から、受信不可検出部６は受信状況が改善されたことを検出することができる。その受信状況の改善が検出された場合には、受信不可検出部６は選局制御部７に受信改善通知を送信する。
【００９２】
この受信改善通知が受信されることにより選局制御部７は、強階層伝送／弱階層伝送の番組切替指示をデマルチプレクス部２及び映像／音声デコード部３に送信し、弱階層伝送番組が視聴されるように動作する。
その結果、放送局Ａの強階層視聴状態から放送局Ａの弱階層視聴状態へ、又は、放送局Ｂの弱階層視聴から放送局Ｂの弱階層視聴状態にそれぞれ遷移する。
【００９３】
本実施の形態では、視聴中だった弱階層伝送の番組が視聴できないと判断した場合には、よりノイズ、マルチパスによる影響の少ない強階層伝送番組に自動的に切替え、簡易映像、音声を視聴することで同一番組を継続して視聴できる確率を高くすることができる。
【００９４】
又、強階層伝送と弱階層伝送で伝送される番組は、通常、チューナ部１から一つのＴＳに多重されて出力されるため、弱階層伝送と強階層伝送間の切替は、チューナ部１を制御して受信放送局を切り替える必要がないため、番組切替時間を短くでき、視聴が中断される時間を短縮させることができる。
【００９５】
又、強階層伝送の番組も「現状受信不可状態」になった場合には、上記した各実施の形態と同様に受信していた放送局の系列放送局を自動で選局することができる。上記した実施の形態で説明したように、系列放送局の番組は、「現状受信不可状態」になり視聴できなくなった番組と同一の番組である可能性が高いので、同一番組を継続して視聴できる可能性も高くすることができる。
【００９６】
又、弱階層伝送の番組が「現状受信不可状態」となり強階層伝送の番組を選局している場合であっても、受信状況の改善を常時検出しており、改善された場合には、再度、弱階層伝送の高画質、高音質の番組を自動的に視聴できる。従って、強階層伝送の番組を選局中に受信状況が改善し、高画質、高音質で番組視聴できるにもかかわらず、強階層伝送の番組の視聴を続けてしまう事態を防止することができる。
【００９７】
このように本実施の形態では、上記した実施の形態１〜３の系列放送局の自動選局に、弱階層伝送の番組と強階層伝送の番組の自動切替を組み合わせて、自動的に系列放送局の選局と階層の切替を行うので、番組の視聴中断時間を実施の形態１よりも短縮できる。特に、車等の移動体で相互に系列関係にある放送局のサービス地域の境界付近を移動する場合には、番組の視聴中断時間を実施の形態１よりも短縮でき、番組の継続視聴性もより改善することができる。
【００９８】
実施の形態５．
上記した実施の形態４のデジタル放送受信装置では、受信不可になった場合に番組視聴が中断される時間を実施の形態１よりも短縮させて番組の継続視聴性を改善することができたが、例えば、トンネル等の電波の到達できない環境や電波が受信不良となる環境に移動した場合に、選局制御部７では受信レベルが低下したと判断し、系列放送局をチャンネルサーチしてしまう誤動作については改善することができなかった。
【００９９】
この電波の到達できない環境や電波が受信不良となる環境で系列放送局をチャンネルサーチしてしまう誤動作の問題については、実施の形態１に対しては実施の形態２で改善していた。以下に、実施の形態４に対して上記問題を改善する実施の形態５のデジタル放送受信装置について説明する。
【０１００】
図１２は、この発明の実施の形態５に係るデジタル放送受信機の概略の内部構成を示すブロック図である。
図１２のデジタル放送受信機の基本的な構成は図９に示した実施の形態４の構成と同様であるが、位置検出部９が追加されている点が異なる。
【０１０１】
位置検出部９の構成及び動作については、実施の形態２に詳しく説明しているのでここでは説明を省略する。
【０１０２】
本実施の形態の選局制御部７は、位置検出部９から「現状受信不可状態の位置であること」の通知が受信されない場合には、図１１に示した実施の形態４と同様な動作を行う。
【０１０３】
しかし、位置検出部９から「現状受信不可状態の位置であること」の通知が受信された場合には、受信不可検出部６から「現状受信不可状態」の通知があっても、選局制御部７は、図１１の動作における「放送局Ａの弱階層視聴７１」の状態、「放送局Ａの強階層視聴７２」の状態、「放送局Ｂの弱階層視聴７３」の状態、「放送局Ｂの強階層視聴７４」の状態、「系列局サーチ７５」の状態から、それぞれ自動では状態遷移を行わないように動作する。つまり、図１０における階層の変更となる状態遷移も系列放送局の自動選局の状態遷移も行わないように動作する。つまり、現状受信不可状態の位置である場合には、選局制御部７は、弱階層伝送の番組に「現状受信不可状態」の通知があって強階層伝送の番組に状態遷移せず、系列放送局が未検出であってもチューナ部１で系列放送局をチャンネルサーチを実施せず、又、系列放送局が検出済みであっても、系列放送局記憶部８から系列放送局を検索して選局する動作を実施しない。
【０１０４】
このように本実施の形態のデジタル放送受信装置では、実施の形態２と同様に全放送局が受信できないにもかかわらず、同放送局の受信信号の階層の変更や、系列放送局のサーチが行われてしまう無駄な動作を防ぐことができ、電波の受信環境が良好な場所に移動した際に、電波の受信環境が悪くなる前に視聴していた番組の視聴を短時間で復帰させることができる。
【０１０５】
実施の形態６．
上記した実施の形態５のデジタル放送受信装置では、受信不可になった場合に番組視聴が中断される時間を実施の形態１よりも短縮させて番組の継続視聴性を改善することができ、更に、電波の到達できない環境や電波が受信不良となる環境に移動した場合に系列放送局をチャンネルサーチしてしまう誤動作を改善しているが、番組タイトルや番組のジャンルや番組識別番号だけでは受信不可通知の入力前と同じ番組を選局できない場合があるという問題を改善することができなかった。
【０１０６】
この番組タイトルや番組のジャンルや番組識別番号だけでは受信不可通知の入力前と同じ番組を選局できない場合があるという問題については、実施の形態１に対しては実施の形態３で改善していた。又、番組タイトルや番組のジャンルや番組識別番号だけでは受信不可通知の入力前と同じ番組を選局できない場合があるという問題については、実施の形態３に詳しく記載されているので重複する説明を省略する。以下に、実施の形態４に対して上記問題を改善する実施の形態６のデジタル放送受信装置について説明する。
【０１０７】
図１３は、この発明の実施の形態６における選局制御部７の選局動作の状態遷移図である。
図１３において、「放送局Ａの弱階層視聴８１」の状態は、放送局Ａの弱階層伝送番組を視聴している状態であり、「放送局Ａの強階層視聴８２」の状態は、放送局Ａの強階層伝送番組を視聴している状態である。「放送局Ｂの弱階層視聴８３」の状態は、放送局Ｂの弱階層伝送番組を視聴している状態であり、「放送局Ｂの強階層視聴８４」の状態は、放送局Ｂの強階層伝送番組を視聴している状態である。又、放送局Ａと放送局Ｂは互いに系列放送局の関係であり、各放送局で視聴される番組は、全て同一時刻に放送されている同一番組である。
【０１０８】
本実施の形態は、実施の形態４に示された放送局Ａ又はＢの系列放送局をチャンネルサーチして選局する「系列局サーチ」の状態が無い点で異なっている。
本実施の形態では、「放送局Ａの弱階層視聴８１」の状態である場合に、実施の形態４に記載したのと同様に受信不可検出部６が「現状受信不可状態」を検出した場合には、受信不可通知が選局制御部７に送信される。
【０１０９】
受信不可検出部６から受信不可通知を受信した選局制御部７は、デマルチプレクス部２及び映像／音声デコード部３に強階層伝送／弱階層伝送の番組切替指示を通知し、図１３の「放送局Ａの強階層視聴８２」の状態に遷移させて、放送局Ａの強階層伝送による番組が視聴される。図１３の「放送局Ａの強階層視聴８２」の状態で、更に受信不可検出部６から受信不可通知を受信した場合には、選局制御部７は、予めＰＳＩ／ＳＩ情報中のＥＩＴ（Ｅｖｅｎｔ  Ｉｎｆｏｒｍａｔｉｏｎ  Ｔａｂｌｅ）セクションから取得しておいたフィールド値の中から、視聴中だった放送局の弱階層伝送の番組と同一のＥＩＴセクションのフィールド値を有する弱階層伝送の番組が現在の時点で検出できれば、放送局Ａと放送局Ｂが系列放送局であることを図９の系列放送局記憶部８に記録し、該当サービスを選局する。つまり、「放送局Ｂの弱階層視聴８３」の状態に遷移する。
【０１１０】
「放送局Ｂの弱階層視聴８３」の状態でさらに受信不可検出部６から受信不可通知を受信した場合は、選局制御部７は、デマルチプレクス部２及び映像／音声デコード部３に強階層伝送／弱階層伝送の番組切替指示を通知し、図１３の「放送局Ｂの強階層視聴８４」の状態に遷移させて、放送局Ｂの強階層伝送を視聴する。
【０１１１】
この「放送局Ｂの強階層視聴８４」の状態で受信不可検出部６から受信不可通知を受信した場合、選局制御部７は、放送局Ｂの系列放送局は放送局Ａであることが、系列放送局記録部８を参照することによりわかるため、系列放送局である放送局Ａを選局し、「放送局Ａの弱階層視聴８１」の状態に遷移する。
【０１１２】
ここで同一番組を判別するのに用いるＰＳＩ／ＳＩのフィールド値としては、例えば、ＥＩＴセクション中の短形式イベント記述子におけるevent_name_char（番組名）のフィールド値、text_char（番組記述）のフィールド値を用いて、その各フィールド値を比較して一致をチェックすることにより判別すればよい。この比較ではＰＳＩ／ＳＩの番組名だけでなく番組記述についても一致がチェックされるため、番組の概要説明や出演者等についても一致することになり、系列局の番組が同一番組である確率を高めることができる。
【０１１３】
又、系列放送局記憶部８に複数の系列放送局が記録されていた場合、実施の形態１と同様に現在視聴中だったサービスＩＤに含まれる地域識別値から現在地域を推定し、隣接する地域の地域識別コードを求め、求めた地域識別コードを含むサービスＩＤを持つ放送局を系列放送局記憶部８から検索する。その後、検索された放送局を順に選局し「現状受信可状態」な系列放送局を視聴する。
【０１１４】
又、図１３の強階層伝送番組を視聴している「放送局Ａの強階層視聴８２」の状態及び「放送局Ｂの強階層視聴８４」状態において、チューナ部１からの受信レベル情報、受信Ｃ／Ｎ比情報、ＰＬＬロック情報、フレームロック情報、誤り率の情報、デマルチプレクス部２からのＰＡＴ、ＰＭＴ途絶通知、ＴＳ同期ロスト、及びパケットロスト通知、さらに映像／音声デコード部３からのエラー通知もしくはエラー率が受信不可検出部６に通知され、その各通知から、受信不可検出部６は受信状況が改善されたことを検出することができる。その受信状況の改善が検出された場合には、受信不可検出部６は選局制御部７に受信改善通知を送信する。
【０１１５】
この受信改善通知が受信されることにより選局制御部７は、強階層伝送／弱階層伝送の番組切替指示をデマルチプレクス部２及び映像／音声デコード部３に送信し、弱階層伝送番組が視聴されるように動作する。その結果、放送局Ａの強階層視聴状態から放送局Ａの弱階層視聴状態へ、又は、放送局Ｂの弱階層視聴から放送局Ｂの弱階層視聴状態にそれぞれ遷移する。
【０１１６】
又、図１２に示した実施の形態５のように位置検出部９を有しており、その位置検出部９が現在位位置が受信不可地域であることを検出した場合には、図１３の状態遷移図による動作において、他の状態の同一番組への自動選局（＝他の状態への遷移）を実施しないように動作する。
【０１１７】
このように本実施の形態では、ＰＳＩ／ＳＩのＥＩＴセクション中のフィールド値により階層の異なる同一番組や同系列局の同一番組を自動的に選局できるため、番組タイトルや番組のジャンルや番組識別番号だけで同一番組と判別する場合に比べて正確に同一番組であることを判別できる。特に、ニュースや天気予報等ではタイトルだけでは同一番組であるか判別できない場合があり、ＰＳＩ／ＳＩのＥＩＴセクション中のフィールド値に含まれる登場人物や概要説明を利用することで同一番組の判別の正確性を高めることができる。
【０１１８】
実施の形態７．
図１に示された実施の形態１では、受信不可となった時点で系列局サーチを実施し、その結果、受信不可になったＴＳの系列局情報と同一のＴＳである新規の系列局が検出できた場合、受信不可になったＴＳの系列局情報と、新規に検出された系列局のＴＳのチャンネル番号又は送信周波数とを関連づけて、系列放送局記憶部８に保存していた。又、実施の形態１では、系列局情報に、例えば、日本国内の地上デジタル放送のＩＳＤＢ−Ｔ（Integrated  Services  Digital  Broadcasting-Terrestrial)の場合なら、ＢＩＴセクション及び周波数リストで伝送されるＢＩＴ（Ｂｒｏａｄｃａｓｔｅｒ  Ｉｎｆｏｒｍａｔｉｏｎ  Ｔａｂｌｅ）セクションにおけるaffiliation_idのフィールドの値のみを使用して同一であるか否かで判断している。しかし、ＢＩＴセクションにおけるaffiliation_idのフィールドの値のみを用いた判断では、系列局を選局できる確率は充分なレベルに達しない場合があった。
【０１１９】
そのため、以下に説明する本発明の実施の形態７では、実施の形態１のaffiliation_idのフィールドの値に加えて、さらに、系列放送局記憶部８に保存するＴＳの選局成功回数を示すヒットカウント値、すなわち、検出した系列局の検出回数も検出して保存しておき、その検出回数も用いることで系列局を選局できる確率を高めるようにしている。
【０１２０】
実施の形態７に係るデジタル放送受信装置の構成及び動作は、基本的には、図１に示した実施の形態１に係るデジタル放送受信装置の構成及び動作と同様であるが、上記したように動作上で、自動選局してＴＳが受信できた場合に、そのＴＳの受信成功回数を示すヒットカウント値を系列放送局記憶部８に保存しておき、受信不可になった時には、この保存された情報（受信成功回数を示すヒットカウント値：検出した系列局の検出回数の情報）を利用して自動選局する点が異なっている。
【０１２１】
以下に上記保存された情報（受信成功回数を示すヒットカウント値：検出した系列局の検出回数の情報）について説明する。
選局制御部７は、受信不可検出部６が視聴していたＴＳが受信環境の悪化により受信不可になったことを検出した場合に、系列放送局記憶部８を検索する。その結果、正常にＴＳを受信できた場合には、選局制御部７は、そのＴＳに対応するヒットカウントの値を１増加させてから、系列放送局記憶部８にＴＳの系列局情報と共に保存する。又、選局制御部７は、放送周波数領域をチャンネルサーチして系列局を検出し、正常にＴＳを受信できた場合にも、そのＴＳに対応するヒットカウント値を１増加させてから、系列放送局記憶部８にＴＳの系列局情報と共に保存する。
【０１２２】
その後、受信環境が悪化して、受信不可検出部６が、視聴していたＴＳの受信不可を検出した場合、選局制御部７は、まず、系列放送局記憶部８内の系列局のチャンネル情報から、現在位置が「受信サービス領域内である」か「受信サービス領域内である」と推定されるＴＳを検索する。その検索されたＴＳが複数存在していた場合には、ヒットカウント値の情報を参照し、そのヒットカウント値の大きい順にチューナ部１に対して選局指示を出力し、チューナ部１で選局された系列局が受信可能か否かを判断する。ただし、その際に、受信不可となったＴＳについては、選局対象から外しても良い。
【０１２３】
つまり、本実施の形態のデジタル放送受信機では、選局制御部７は、系列放送局記憶部８に系列放送局を関連づけて記憶させる際に、検出した系列局の検出回数を検出し、その検出回数も系列放送局に関連づけて系列放送局記憶部８に記憶させておく。そして、その後の、受信不可検出部６から受信不可通知を受信した場合に、系列放送局記憶部８から系列放送局のチャンネル情報を検索する。その検索結果で、現在位置が受信サービス領域内である場合に受信可能となる系列放送局が複数局あるように記憶されていた場合には、選局制御部７は、系列局の検出回数値が大きい系列放送局から順に選択する。そして、選局制御部７は、選択された系列放送局のチャンネル情報に基づく受信信号が「現状受信可状態」か否かを判断し、「現状受信可状態」の場合に前記系列放送局の番組を視聴する。又、選局制御部７は、系列放送局記憶部８に系列放送局が記憶されていないか、又は記憶されていた全ての系列放送局が「現状受信不可状態」の場合には、系列放送局をチャンネルサーチするように指示を出力する。
【０１２４】
ところで、上記した例では、ヒットカウント値が大きい方を優先させて選択しているが、見方を変えれば、系列局を検出する度にその系列局が選択される優先順位を一つ上げて、それ以下になった他の系列局の順位を各々一つずつ下げることになる。また、近年の装置の学習機能という点では、時間的観点から最も最近に得られた情報を最優先し、他の情報の優先順位を一つずつ下げるということが知られている。その観点から上記を言い換えると、以下に示した他の実施例のようにも考えられる。
【０１２５】
さらに他の実施例として、選局制御部７は、系列放送局記憶部８に系列放送局を関連づけて記憶させる際に、検出した系列局が次回のチャンネル情報の検索時に選局される優先順位を最優先の早い順位とし、系列放送局記憶部８に記憶されていたその他の系列局における次回のチャンネル情報の検索時に選局される優先順位を、それまでの優先順位よりも一つずつ順送りに低下するように、系列放送局に関連づけて、系列放送局記憶部８に記憶させておき、受信不可検出部６から受信不可通知を受信した場合に、系列放送局記憶部８から系列局のチャンネル情報を検索し、現在位置が受信サービス領域内である場合に受信可能となる系列放送局が複数局あるように記憶されていた場合には、系列局の選局の優先順位が早い系列放送局から順に選択し、選択された系列放送局のチャンネル情報に基づく受信信号が「現状受信可状態」か否を判断し、「現状受信可状態」の場合に系列放送局の番組を視聴し、系列放送局が記憶されていないか、又は記憶されていた全ての系列放送局が「現状受信不可状態」の場合には、系列放送局をチャンネルサーチするように指示を出力するようにしてもよい。
【０１２６】
以上のように本実施の形態では、系列局関係にあるＴＳが検出できたときにそのＴＳに関するチャンネル情報に関連させてそのＴＳのヒットカウント値を記憶させ、そのＴＳが検出できる度にヒットカウント値を１だけ増加させて記憶するようにしたので、日常頻繁に走行する地域における系列局のＴＳについてはヒットカウント値が他より大きくなる。あるいは、ヒットカウント値が他より大きいことで、そのＴＳについては系列局検索時に優先順位を早い順位としてもよい。その場合、その検出されたＴＳが、受信不可時の系列局の自動選局（自動検索）において選局される確率が高くなり、かつ、高速に選局できることになる。またＧＰＳなどの位置特定のためのハードウエア（Ｈ／Ｗ）を用いないでも受信不可時の系列局の自動選局において選局される確率を高くすることができ、デジタル放送受信装置のコストを低減できる。
【０１２７】
実施の形態８．
本発明の実施の形態８に係るデジタル放送受信装置の構成及び動作も、基本的には、図１に示した実施の形態１に係るデジタル放送受信装置の構成及び動作と同様であるが、動作上で、受信不可時に自動選局してＴＳが受信できた場合に、そのＴＳが受信不可になったＴＳ（同一の放送局の同一番組）に対してＭＦＮ（Ｍｕｌｔｉ  Ｆｒｅｑｕｅｎｃｙ  Ｎｅｔｗｏｒｋ）の関係にあるかＳＦＮ（Ｓｉｎｇｌｅ  Ｆｒｅｑｕｅｎｃｙ  Ｎｅｔｗｏｒｋ）の関係にあるかを系列放送局記憶部８に保存しておく。そして、その後に受信不可になった時には、保存されたＭＦＮ情報を利用して、その受信不可ＴＳとＭＦＮ関係のＴＳを自動選局する点が異なっている。
【０１２８】
尚、ＭＦＮ（Ｍｕｌｔｉ  Ｆｒｅｑｕｅｎｃｙ  Ｎｅｔｗｏｒｋ）とは、同一の放送局の同一番組が放送される場合に、サービスエリアが重なる各送信所（各中継局）から送出されるその番組に対して異なる周波数を割り当てて送信出力させることでネットワークを形成するものであり、例えば、同一番組を親局と異なる周波数で中継局も放送出力するネットワークである。又、ＭＦＮは、周波数を有効利用するためのＳＦＮ（Ｓｉｎｇｌｅ  Ｆｒｅｑｕｅｎｃｙ  Ｎｅｔｗｏｒｋ）に対するネットワークであるとも言える。ＳＦＮ（Ｓｉｎｇｌｅ  Ｆｒｅｑｕｅｎｃｙ  Ｎｅｔｗｏｒｋ）とは、ＭＦＮとは逆に、同一の放送局の同一番組が放送される場合に、サービスエリアが重なる各送信所（各中継局）に対して同一の周波数を割り当てて送信出力させてネットワークを形成するものであり、例えば、周波数資源を有効利用するために、同一番組を親局と同じ周波数で中継局が放送出力するネットワークである。従って、ＭＦＮの関係にあるＴＳとは、例えば、同一のＴＳが中継局と親局とで互いに異なるチャンネル番号で送信される場合の両ＴＳの関係である。
【０１２９】
本実施の形態のデジタル放送受信装置は、受信不可となった時点で系列放送局記憶部８内のＭＦＮ情報を参照して、受信不可になったＴＳとＭＦＮ関係にあるＴＳを検索する。そして、ＭＦＮ関係にあるＴＳが複数検索された場合には、その各ＴＳを順番にチューナ部１で選局してみることで受信可能か否かを判別する。その結果、新規に受信可能なＭＦＮ関係にあるＴＳが検出できた場合、その検出されたＴＳ（系列局ＴＳ）に対してそのチャンネル番号または送信周波数と関連づけて系列放送局記憶部８に保存する。ＩＳＤＢ−Ｔの場合のＭＦＮのＴＳのチャンネル番号及び周波数情報は、ＰＳＩ中の「ＮＩＴ（Ｎｅｔｗｏｒｋ  Ｉｎｆｏｒｍａｔｉｏｎ  Ｔａｂｌｅ）セクション」に記述された「伝送される地上分配システム記述子」である「ｆｒｅｑｕｅｎｃｙフィールド」、又は、「周波数リストの記述子」である「ｐｈｙｓｉｃａｌ  ｃｈフィールド」、及び、「ｎｅｗ  ｐｈｙｓｉｃａｌ  ｃｈフィールド」から得ることができる。また、欧州のデジタル放送規格ＤＶＢ（Ｄｉｇｉｔａｌ  Ｖｉｄｅｏ  Ｂｒｏａｄｃａｓｔｉｎｇ）の場合では、ＮＩＴセクションで「伝送されるｆｒｅｑｕｅｎｃｙ  ｌｉｓｔ記述子」である「ｃｅｎｔｒｅ  ｆｒｅｑｕｅｎｃｙフィールド」、又は、「ｃｅｌｌ  ｆｒｅｑｕｅｎｃｙ  ｌｉｓｔ記述子」である「ｔｒａｎｓｐｏｓｅｒ  ｆｒｅｑｕｅｎｃｙフィールド」から得ることができる。
【０１３０】
さらに、本実施の形態では上記ＭＦＮ情報に加えて、さらに上記実施の形態７で説明した系列放送局記憶部８に保存した各ＴＳの選局成功回数を示すヒットカウント値も保存する。このヒットカウント値は、受信環境の悪化により受信不可検出部６が視聴していたＴＳの受信不可を検出した場合に、選局制御部７が系列放送局記憶部８を検索した結果、正常に受信できた場合にそのＴＳに対するヒットカウントの値を１増加させる。また同様に選局制御部７が、放送周波数領域をチャンネルサーチし系列局を検出し正常に受信できた場合にもそのＴＳに対するヒットカウント値を１増加させる。
【０１３１】
受信環境の悪化により受信不可検出部６が視聴していたＴＳの受信不可を検出した場合に、選局制御部７はまず受信不可となったＴＳで伝送されたＭＦＮ情報を参照し、ＭＦＮ関係にあるＴＳが複数あった場合に、系列放送局記憶部８から、それらのＴＳのチャンネル情報を検索する。それらのＴＳが複数記憶されていた場合には、ヒットカウント値の大きいＴＳから先にチューナ部１に選局指示を出し受信可能か判断する。ただし元々視聴していた受信不可となったＴＳは自動選局対象から外しても良い。
【０１３２】
つまり、本実施の形態のデジタル放送受信機では、選局制御部７からの指示出力によりチャンネルサーチして検出された放送局又は入力手段により指定された放送局からのデジタル放送番組の受信信号を受信して選局、復調、誤り訂正し、選局された番組の受信信号のＴＳを出力するチューナ部１を備え、選局制御部７は、系列放送局記憶部８に系列放送局を関連づけて記憶させる際に、チューナ部１で視聴中の番組を伝送するＴＳと同一のＴＳが検出された場合に、その検出されたＴＳが送信所毎に異なる周波数が割り当てられるＭＦＮ（マルチ周波数ネットワーク）の関係であることを検出し、その検出されたＭＦＮ関係にあるＴＳの少なくともチャンネル情報と視聴中の番組を伝送するＴＳの少なくともチャンネル情報とをＭＦＮ関係であることを含んで関連付けて系列放送局記憶部８に記憶させておき、受信不可検出部６から受信不可通知を受信した場合に、系列放送局記憶部８からＭＦＮ関係にあるＴＳを検索し、現在位置が受信サービス領域内である場合に受信可能となるＭＦＮ関係にあるＴＳのチャンネル情報に基づく受信信号が「現状受信可状態」か否かを判断し、「現状受信可状態」の場合にＭＦＮ関係にあるＴＳが伝送する番組を視聴し、ＭＦＮ関係にあるＴＳが記憶されていないか、又は記憶されていた全ての前記ＭＦＮ関係にあるＴＳが伝送する番組が「現状受信不可状態」の場合には、系列放送局をチャンネルサーチするように指示を出力する。
【０１３３】
さらに本実施の形態では、選局制御部７は、検出されたＴＳの検出回数を検出し、ＭＦＮ関係であることと共に検出回数も系列放送局に関連づけて系列放送局記憶部８に記憶させておき、受信不可検出部６から受信不可通知を受信した場合に、系列放送局記憶部８からＭＦＮ関係にあるＴＳを検索する。選局制御部７は、現在位置が受信サービス領域内である場合に受信可能となるＭＦＮ関係にあるＴＳが複数あるように記憶されていた場合には、ＭＦＮ関係にあるＴＳの検出回数値が大きい系列放送局から順に選択し、選択されたＴＳのチャンネル情報に基づく受信信号が「現状受信可状態」か否かを判断し、「現状受信可状態」の場合にＭＦＮ関係にあるＴＳが伝送する番組を視聴する。
【０１３４】
以上のように本実施の形態では、ＭＦＮ関係にあるＴＳが検出できたときに、そのＴＳに関するチャンネル情報を保存するので、受信不可時の検索時にＭＦＮ関係にあるＴＳが伝送する番組が優先的に選局される。さらに、それと共に、実施の形態７と同様にヒットカウント値を１増加させて保存するようにしているので、日常頻繁に走行する地域におけるＭＦＮのＴＳに対してはヒットカウント値が他より大きくなり、受信不可時のＭＦＮ検索時に優先的に選局される。従って、日常良く受信するＴＳを高速に自動選局することができる。またＧＰＳなどの位置特定のための追加ハードウエア（Ｈ／Ｗ）が不要なため、受信不可時の検索する機能のコストを低減させることができる。
【０１３５】
実施の形態９．
実施の形態９に係るデジタル放送受信装置では、実施の形態７、８の構成と同一であるがヒットカウント値による選局順の決定ではなく、以下のようなアルゴリズムで選局順を決定する点が異なる。
【０１３６】
実施の形態８に示したように系列放送局記憶部８には、系列局情報、又は、ＭＦＮ情報が格納されるが、本実施の形態では、さらに系列放送局記憶部８に、互いに同一の系列局関係にあるＴＳの選局順情報、及び、互いにＭＦＮ関係にあるＴＳの選局順情報も格納される。この選局順情報は、受信不可検出部６が、受信環境の悪化によって視聴していたＴＳの受信が不可になったことを検出した場合に、選局制御部７が、系列放送局記憶部８を検索し、系列局関係またはＭＦＮ関係にあるＴＳを選局した結果、チューナ１でその選局したＴＳが正常に受信できた場合にそのＴＳに対する選局順が最優先になるように設定する。また同様に選局制御部７が、放送周波数領域をチャンネルサーチし系列局関係またはＭＦＮ関係にあるＴＳを検出し正常に受信できた場合にも、そのＴＳに対する選局順が最優先になるように設定する。その結果、それ以外のＴＳの選局の優先順位が１つずつ低下される。
【０１３７】
図１４（ａ）、（ｂ）は、この発明の実施の形態１０における系列局が受信出来た場合の次回の選局の優先順位決定アルゴリズムを示す図である。更に詳しくは、図１４（ａ）は、受信不可が検出された時の自動選局において、系列放送局記憶部８に保存された各ＴＳ（Ａ）、ＴＳ（Ｂ）、ＴＳ（Ｃ）で選局する場合の系列放送局記憶部８内の選局の優先順位（選局順）を示し、図１４（ｂ）は、図１４（ａ）の選局順では選局できなかった場合に、周波数を順にスキャンする系列局サーチにより、新規に系列局関係にあるＴＳ（Ｄ）が検出され、系列放送局記憶部８に無い新規のＭＦＮ関係にあるＴＳ（Ｄ）が選局された場合に、系列放送局記憶部８内の選局の優先順位（選局順）が更新された場合の系列放送局記憶部８内の選局の優先順位（選局順）を示す図である。
【０１３８】
まず、図１４（ａ）、（ｂ）を用いて、選局順が入れ替えられる様子を説明する。図１４（ａ）に示されたＴＳ状態は、例えば、系列放送局記憶部８に記憶されるＡ，Ｂ，Ｃの３つの系列局の関係、又は、ＭＦＮ関係にあるＴＳであるＴＳ（Ａ）、ＴＳ（Ｂ）、ＴＳ（Ｃ）が保存されて状態であるとする。同図において数字の小さいほうが選局の優先順位が高く、つまり、レベル１のものが最優先順位で選局されることを示している。受信環境悪化により受信不可検出部６が視聴していたＴＳの受信不可を検出した場合に、選局制御部７が、系列放送局記憶部８内の系列関係またはＭＦＮ関係にあるＴＳであるＴＳ（Ａ）、ＴＳ（Ｂ）、ＴＳ（Ｃ）のいずれも選局できなかった場合には、系列サーチを行いその結果、新規に系列局関係にあるＴＳであるＴＳ（Ｄ）が選局できたとき、系列放送局記憶部８にＴＳ（Ｄ）の選局情報が記憶されると共に、ＴＳ（Ｄ）の次回選局時の優先順位を最優先のレベル１に設定する。その結果、これまでの旧選局順で設定されていたレベル１のＴＳ（Ａ）、レベル２のＴＳ（Ｂ）、レベル３のＴＳ（Ｃ）の選局順は、それぞれ優先順位が一つずつ低下する。図１４では、ＴＳ（Ａ）はレベル１からレベル２に、ＴＳ（Ｂ）はレベル２からレベル３に、ＴＳ（Ｃ）はレベル３からレベル４にそれぞれ優先順位が低下されている。
【０１３９】
また、図１４（ｂ）では、系列放送局記憶部８内に受信不可となったＴＳとＭＦＮの関係にあるＴＳ（Ｄ）が存在しない図１４（ａ）の場合に、受信不可となったＴＳが伝送するＭＦＮ情報にＴＳ（Ｄ）が記載されており、そこに記載されていたＴＳ（Ｄ）が伝送するチャンネルを選局した結果、ＴＳ（Ｄ）を用いた放送が受信できた際に、新規ＴＳ（Ｄ）の選局に必要な情報を系列放送局記憶部８に保存すると共に、その選局の優先順位をレベル１として保存する様子を示している。
【０１４０】
図１５（ａ）、（ｂ）は、この発明の実施の形態１０における系列放送局記憶部８内に保存された系列局またはＭＦＮのＴＳが受信できた場合の次回の選局の優先順位決定アルゴリズムを示す図である。更に詳しくは、図１５（ａ）は、受信不可が検出された時の自動選局において、系列放送局記憶部８に保存されたレベル２のＴＳ（Ａ）、レベル３のＴＳ（Ｂ）、レベル４のＴＳ（Ｃ）、レベル１のＴＳ（Ｄ）の内のレベル２のＴＳ（Ａ）により、系列局またはＭＦＮ関係のＴＳが選局できた場合の系列放送局記憶部８内の選局の優先順位（選局順）を示し、図１５（ｂ）は、レベル２のＴＳ（Ａ）で選局できたことから系列放送局記憶部８内のＴＳ（Ａ）の選局における優先順位（選局順）をレベル１に上げて更新した場合の系列放送局記憶部８内の選局の優先順位（選局順）を示す図である。
【０１４１】
図１５（ａ）は、系列放送局記憶部８に（Ａ），（Ｂ），（Ｃ）,（Ｄ）の４つの系列局の関係、又は、ＭＦＮ関係にあるＴＳが選局優先度の高い方からレベル１のＴＳ（Ｄ）、レベル２のＴＳ（Ａ）、レベル３のＴＳ（Ｂ）、レベル４のＴＳ（Ｃ）の順で保存されている状態とする。受信環境悪化により、受信不可検出部６が、視聴していたＴＳの受信不可を検出した場合に、選局制御部７が、系列放送局記憶部８内の系列関係またはＭＦＮ関係にあるＴＳを検索し、選局順がレベル２のＴＳ（Ａ）のＴＳの受信ができた場合、選局できたＴＳ（Ａ）の選局の優先順位を最高のレベル１として設定し、これに伴いそれ以外のＴＳの選局の優先順位を１つずつ低下させるように更新する。尚、その際に、順位変更をする必要のあるものは、変更前の選局の優先順位において選局出来たレベル２のＴＳ（Ａ）よりも上位の優先レベルの順位のＴＳだけである。即ち、図１５（ｂ）に示すようにＴＳ（Ｄ）がこれに相当してレベル１からレベル２に選局順を下げ、レベル３のＴＳ（Ｂ）、レベル４のＴＳ（Ｃ）については、旧選局順においてレベル２のＴＳ（Ａ）よりも優先レベルが低いので選局の優先順位の変更は行われない。
【０１４２】
次に、受信環境の悪化により受信不可検出部６が視聴していたＴＳの受信不可を検出した場合には、選局制御部７は、系列放送局記憶部８から、受信できなくなったＴＳと系列局またはＭＦＮの関係にあるＴＳのチャンネル情報を検索する。この検索結果で、系列局またはＭＦＮ関係にあるＴＳが複数存在していた場合には、選局制御部７は、系列局記録部８に保存しておいた選局順に従って選局を行い、選局された放送が受信可能か否かの判断を行い、系列局またはＭＦＮを検索する。但し、元々視聴していたＴＳは、受信不可時の自動選局対象から外しても良い。
【０１４３】
つまり、本実施の形態では、選局制御部７は、検出されたＴＳの検出回数を検出し、検出されたＭＦＮ関係にあるＴＳの次回のＭＦＮ関係にあるＴＳのチャンネル情報の検索時に選局される優先順位を最優先の早い順位とし、他のＭＦＮ関係にあるＴＳの次回のチャンネル情報の検索時に選局される優先順位がそれまでの優先順位以下に低下するように系列放送局記憶部８に記憶させておき、受信不可検出部６から受信不可通知を受信した場合に、系列放送局記憶部８からＭＦＮ関係にあるＴＳのチャンネル情報を検索する。選局制御部７は、現在位置が受信サービス領域内である場合に受信可能となるＭＦＮ関係にあるＴＳが複数あるように記憶されていた場合には、ＭＦＮ関係にあるＴＳの選局の優先順位が早い方から順にＴＳを選択し、選択されたＭＦＮ関係にあるＴＳのチャンネル情報に基づく受信信号が「現状受信可状態」か否かを判断し、「現状受信可状態」の場合にＭＦＮ関係にあるＴＳが伝送する番組を視聴するように指示を出力する。
【０１４４】
以上のように、本実施の形態では、系列局関係またはＭＦＮ関係にあるＴＳが検出できたときに、そのＴＳに関するチャンネル情報と共に、次回の受信不可時において系列局またはＭＦＮ関係にあるＴＳの選局の優先順位を保存し、この選局の優先順位の決定方法を受信不可時の自動選局の結果、受信できたＴＳに対する次回の選局の優先順位を上げるか最優先するようにしたので、日常頻繁に走行していない地域に移動した際にも、２回目以降の受信不可発生時の系列局またはＭＦＮのＴＳの自動選局を高速に実施することができる。また日常頻繁に走行している地域に戻った場合には、系列放送局記憶部８に保存された選局優先順位は比較的高速になる値が保存されているため、比較的高速な自動選局を実施できる。またＧＰＳなどの位置特定のための追加ハードウエア（Ｈ／Ｗ）が不要なため、受信不可時の検索する機能のコストを低減させることができる。
【０１４５】
実施の形態１０．
実施の形態１０に係るデジタル放送受信装置では、実施の形態１における構成と同一であるが、以下の点が異なる。
受信不可検出部６では、チューナ制御部１からの電界レベル、受信Ｃ／Ｎ比情報、ＰＬＬロック情報、フレームロック情報、誤り率情報、デマルチプレクス部２からのＰＡＴ及びＰＭＴの途絶情報、ＴＳ同期ロスト情報、ＴＳヘッダ内の連続性カウンタ値の異常発生情報、映像／音声デコード部３からのデコードエラー情報等の内のいずれかの情報の履歴を収集する。受信不可検出部６がその収集情報から受信不可を検出した場合で、選局制御部７による系列放送局記憶部８の検索やチャンネルサーチにより系列局関係又はＭＦＮ関係にあるＴＳが検出できた場合には、選局制御部７は、検出できたＴＳのチャンネル選局情報を系列放送局記憶部８に保存すると共に、受信不可が発生する直前の所定期間におけるこれら受信異常履歴情報も保存する。尚、本明細書における所定期間とは、例えば、デジタル放送受信装置は、上記したような各種のステータス情報を、常時、例えば数秒程度の一定のサンプリング周期毎に収集しているが、その「一定のサンプリング周期」を所定期間と表現している。
【０１４６】
その後、次回の受信不可検出部６が受信不可を検出した場合、選局制御部７は、そのときの受信異常履歴情報の変化パターンと同一または近い変化パターンであった過去の受信異常履歴情報を系列放送局記憶部８から検索する。選局制御部７は、変化パターンが同一または似ている受信異常履歴情報に対して、そのとき受信できていた系列局関係またはＭＦＮ関係にあるＴＳのチャンネル選局情報により選局を行う。
【０１４７】
つまり、本実施の形態のデジタル放送受信機では、選局制御部７からの指示出力によりチャンネルサーチして検出された放送局又は入力手段により指定された放送局からのデジタル放送番組の受信信号を受信して選局、復調、誤り訂正し、選局された番組の受信信号のＴＳを出力すると共に、処理が不可状態の場合にはその番組の受信信号の受信レベル情報、受信Ｃ／Ｎ比情報、ＰＬＬロック情報、フレームロック情報、誤り率の各種情報の少なくとも一つを出力するチューナ部１と、ＴＳから映像／音声ストリームを分離抽出して出力し、ＴＳからＰＳＩ／ＳＩを抽出してそのＰＳＩ／ＳＩを保存すると共に、処理の何れかが不可状態の場合にはＰＡＴ断絶情報、ＰＭＴ断絶情報、ＴＳ同期はずれ情報、ＴＳパケットの損失情報の各種情報の少なくとも一つを出力するデマルチプレクス部２と、映像／音声ストリームから映像の復号及び音声の復号を行い復号された映像信号及び音声信号を出力すると共に、処理の何れかが不可状態の場合にはデコードエラー検出情報、デコードエラー率情報の各種情報の少なくとも一つを出力する映像／音声デコード部３を備えている。
【０１４８】
そして、受信不可検出部６が、各種情報の少なくとも一つに基づいて番組の受信信号が「現状受信不可状態」であることを検出した場合には、選局制御部７は、系列放送局記憶部８内の検索又はチャンネルサーチにより系列局の関係又はＭＦＮ関係にあるＴＳが検出できた場合に、検出できたＴＳのチャンネル局情報を系列放送局記憶部８に記憶させておくと共に、「現状受信不可状態」が発生する直前の所定期間の上記各種情報の変化したパターンを受信異常履歴情報として、検出できたＴＳのチャンネル局情報に関連づけて系列放送局記憶部８に記憶させておく。
【０１４９】
２回目以降の受信不可検出部６の「現状受信不可状態」の検出時には、選局制御部７は、系列放送局記憶部８に記憶された受信異常履歴情報からその際の受信異常履歴情報が変化したパターンと同一又は類似する変化のパターンを検索し、検索結果の受信異常履歴情報に関連して記憶された系列局の関係又はＭＦＮ関係にあるＴＳのチャンネル選局情報を選局に用いる。
【０１５０】
以上のように本実施の形態では、選局制御部７は、系列局関係またはＭＦＮ関係にあるＴＳの自動選局ができたときにそのＴＳに関するチャンネル情報と共に受信不可発生直前の受信異常履歴情報を保存するようにし、次回以降、受信不可時において保存した受信異常履歴情報の中から、そのときの受信異常情報の変動パターンと類似のものを検索し、そのＴＳを自動選局するようにしたので、過去に受信できなかった同一地点で自動選局できたＴＳが受信できる可能性を高めることができ、そのＴＳを最初に選局することで、高速な自動選局ができる可能性を高めることができる。またＧＰＳなどの位置特定のための追加ハードウエア（Ｈ／Ｗ）が不要なため、受信不可時の検索する機能のコストを低減させることができる。
【０１５１】
実施の形態１１．
実施の形態１０に係るデジタル放送受信装置では、実施の形態１における構成と同一であるが、以下の点が異なる。
受信不可検出部６では、チューナ制御部１からの電界レベル、受信Ｃ／Ｎ比情報、ＰＬＬロック情報、フレームロック情報、誤り率情報、デマルチプレクス部２からのＰＡＴ及びＰＭＴの途絶情報、ＴＳ同期ロスト情報、ＴＳヘッダ内の連続性カウンタ値の異常発生情報、映像／音声デコード部３からのデコードエラー情報等の内のいずれかの情報の履歴を収集する。受信不可検出部６がその収集情報から受信不可を検出した場合で、選局制御部７による系列放送局記憶部８の検索やチャンネルサーチにより系列局関係又はＭＦＮ関係にあるＴＳが検出できた場合には、選局制御部７は、検出できたＴＳのチャンネル選局情報を系列放送局記憶部８に保存すると共に、受信不可が発生する直前の所定期間におけるこれら受信異常履歴情報も保存する。
【０１５２】
その後、次回の受信不可検出部６が受信不可を検出した場合に、選局制御部７は、その受信不可が発生する直前の所定期間に取得した受信異常履歴情報において、例えば、電界レベルの変化が急峻に悪化するようなケースでは、トンネル内環境のようなどのチャンネルも受信できないような環境に入ったと判断し、自動的な系列局関係またはＭＦＮ関係にあるＴＳのサーチ、選局動作の実施を中止させる。
【０１５３】
つまり、本実施の形態のデジタル放送受信機では、実施の形態１０と同様に、選局制御部７からの指示出力によりチャンネルサーチして検出された放送局又は入力手段により指定された放送局からのデジタル放送番組の受信信号を受信して選局、復調、誤り訂正し、選局された番組の受信信号のＴＳを出力すると共に、処理が不可状態の場合にはその番組の受信信号の受信レベル情報、受信Ｃ／Ｎ比情報、ＰＬＬロック情報、フレームロック情報、誤り率の各種情報の少なくとも一つを出力するチューナ部１と、ＴＳから映像／音声ストリームを分離抽出して出力し、ＴＳからＰＳＩ／ＳＩを抽出してそのＰＳＩ／ＳＩを保存すると共に、処理の何れかが不可状態の場合にはＰＡＴ断絶情報、ＰＭＴ断絶情報、ＴＳ同期はずれ情報、ＴＳパケットの損失情報の各種情報の少なくとも一つを出力するデマルチプレクス部２と、映像／音声ストリームから映像の復号及び音声の復号を行い復号された映像信号及び音声信号を出力すると共に、処理の何れかが不可状態の場合にはデコードエラー検出情報、デコードエラー率情報の各種情報の少なくとも一つを出力する映像／音声デコード部３を備えている。
【０１５４】
そして、受信不可検出部６が、各種情報の少なくとも一つに基づいて番組の受信信号が「現状受信不可状態」であることを検出した場合には、選局制御部７は、系列放送局記憶部８内の検索又はチャンネルサーチにより系列局の関係又はＭＦＮ関係にあるＴＳが検出できた場合に、検出できたＴＳのチャンネル局情報を系列放送局記憶部８に記憶させておくと共に、「現状受信不可状態」が発生する直前の所定期間の上記各種情報の変化したパターンを受信異常履歴情報として、検出できたＴＳのチャンネル局情報に関連づけて系列放送局記憶部８に記憶させておく。
【０１５５】
２回目以降の受信不可検出部６の「現状受信不可状態」の検出時には、選局制御部７は、２回目以降の受信不可検出部６の「現状受信不可状態」の検出時に、系列放送局記憶部８に記憶された受信異常履歴情報を検索した結果の系列局の関係、又は、ＭＦＮ関係にあるＴＳのチャンネル選局情報が、現在位置がどのチャンネルも選局できない状態であることを示す場合、系列放送局またはＭＦＮ関係にあるＴＳのチャンネル選局情報を用いる選局を中止する。
【０１５６】
以上のように本実施の形態では、受信不可発生直前の受信異常情報の変化パターンにより全くどのチャンネルも受信出来ないような環境であるか判別してその場合は選局を中止するため、トンネル内などで自動選局が動作させないためトンネルから抜けた際に、元々受信していたＴＳの再受信が短時間でできるようになる。またＧＰＳなどの位置特定のための追加ハードウエア（Ｈ／Ｗ）が不要なため、受信不可時の検索する機能のコストを低減させることができる。
【図面の簡単な説明】
【０１５７】
【図１】この発明の実施の形態１に係るデジタル放送受信機の概略の内部構成を示すブロック図である。
【図２】図１のデジタル放送受信装置における選局制御部７の選局動作の状態遷移図である。
【図３】図１のデジタル放送受信装置における選局制御部７の動作を示すフローチャートである。
【図４】地上デジタル放送におけるサービスＩＤのビット構成を示す図である。
【図５】地上デジタル放送におけるサービスＩＤの地域識別フィールドの分類を示す図である。
【図６】地上デジタル放送における地域識別フィールドの地域割り当て状況を示す図である。
【図７】この発明の実施の形態２に係るデジタル放送受信機の概略の内部構成を示すブロック図である。
【図８】この発明の実施の形態３のデジタル放送受信装置における選局制御部７の選局動作の状態遷移図である。
【図９】この発明の実施の形態４に係るデジタル放送受信機の概略の内部構成を示すブロック図である。
【図１０】この発明の実施の形態４における選局制御部７の選局動作の状態遷移図である。
【図１１】この発明の実施の形態４における選局制御部７の動作フロー図である。
【図１２】この発明の実施の形態５に係るデジタル放送受信機の概略の内部構成を示すブロック図である。
【図１３】この発明の実施の形態６における選局制御部７の選局動作の状態遷移図である。
【図１４】この発明の実施の形態１０における系列局が受信出来た場合の次回の選局の優先順位決定アルゴリズムを示す図である。
【図１５】この発明の実施の形態１０における系列放送局記憶部８内に保存された系列局またはＭＦＮのＴＳが受信できた場合の次回の選局の優先順位決定アルゴリズムを示す図である。
【符号の説明】
【０１５８】
１  チューナ部、  ２  デマルチプレクス部、  ３  映像／音声デコード部、  ４  映像表示部、  ５  音声出力部、  ６  受信不可検出部、  ７  選局制御部、  ８  系列放送局記憶部、  ９  位置検出部、  ５１  「放送局Ａ視聴」状態、  ５２  「系列放送局サーチ」状態、  ５３  「放送局Ｂ視聴」状態、  ６１  「番組Ａ視聴」状態、  ６２  「番組Ｂ視聴」状態、  ７１  「放送局Ａの弱階層視聴」状態、  ７２  「放送局Ａの強階層視聴」状態、  ７３  「放送局Ｂの弱階層視聴」状態、  ７４  「放送局Ｂの強階層視聴」状態、  ７５  「系列放送局サーチ」状態、  ８１  「放送局Ａの弱階層視聴」状態、  ８２  「放送局Ａの強階層視聴」状態、  ８３  「放送局Ｂの弱階層視聴」状態、  ８４  「放送局Ｂの強階層視聴」状態。
【図１】
2008035538.tif 000003
【図２】
2008035538.tif 000004
【図３】
2008035538.tif 000005
【図４】
2008035538.tif 000006
【図５】
2008035538.tif 000007
【図６】
2008035538.tif 000008
【図７】
2008035538.tif 000009
【図８】
2008035538.tif 000010
【図９】
2008035538.tif 000011
【図１０】
2008035538.tif 000012
【図１１】
2008035538.tif 000013
【図１２】
2008035538.tif 000014
【図１３】
2008035538.tif 000015
【図１４】
2008035538.tif 000016
【図１５】
2008035538.tif 000017